(57)【要約】  【課題】操作ボタンを進出位置や退入位置に瞬時に確実にロックすることができる、ボタンロック装置を備えた遊技機を提供する。  【解決手段】ボタンロック装置４４は、進出位置の演出ボタン４２に係合して演出ボタン４２をロックするロック位置とロック解除位置とに亙って回動自在にベース部材４１に支持された第１ロック部材６０、第１ロック部材６０をロック位置に付勢する第１バネ部材６１、演出ボタン４２が退入位置から進出位置へ移動する際に、演出ボタン４２から押し力を受けて第１ロック部材６０をロック位置からロック解除位置へ回動させる第１ロック連動機構６２、第１ロック部材６０をロック位置からロック解除位置へ回動駆動可能な第１ロック解除駆動機構６３を有する。【選択図】  図１２
2011010677.tif 000002
【特許請求の範囲】
【請求項１】
進出位置と退入位置とに亙って進退可能にベース部材に支持され、且つ復帰バネにより進出位置に付勢された操作ボタンを備えた遊技機において、
前記操作ボタンを進出位置にロック可能なボタンロック装置を備え、
前記ボタンロック装置が、
前記進出位置の操作ボタンに係合して操作ボタンをロックするロック位置とロック解除位置とに亙って回動自在にベース部材に支持された第１ロック部材と、
前記第１ロック部材をロック位置に付勢する第１バネ部材と、
前記操作ボタンが退入位置から進出位置へ移動する際に、操作ボタンから押し力を受けて第１ロック部材をロック位置からロック解除位置へ回動させる第１ロック連動機構と、
前記第１ロック部材をロック位置からロック解除位置へ回動駆動可能な第１ロック解除駆動機構と、
を備えたことを特徴とする遊技機。
【請求項２】
前記ボタンロック装置は操作ボタンを退入位置にロック可能に構成され、
前記ボタンロック装置が、
前記退入位置の操作ボタンに係合して操作ボタンをロックするロック位置とロック解除位置とに亙って回動自在にベース部材に支持された第２ロック部材と、
前記第２ロック部材をロック位置に付勢する第２バネ部材と、
前記操作ボタンが進出位置から退入位置へ移動する際に、操作ボタンから押し力を受けて第２ロック部材をロック位置からロック解除位置へ回動させる第２ロック連動機構と、
前記第２ロック部材をロック位置からロック解除位置へ回動駆動可能な第２ロック解除駆動機構と、
を備えたことを特徴とする請求項１に記載の遊技機。
【請求項３】
進出位置と退入位置とに亙って進退可能にベース部材に支持され、且つ復帰バネにより進出位置に付勢された操作ボタンを備えた遊技機において、
前記操作ボタンを退入位置にロック可能なボタンロック装置を備え、
前記ボタンロック装置が、
前記退入位置の操作ボタンに係合して操作ボタンをロックするロック位置とロック解除位置とに亙って回動自在にベース部材に支持された第２ロック部材と、
前記第２ロック部材をロック位置に付勢する第２バネ部材と、
前記操作ボタンが進出位置から退入位置へ移動する際に、操作ボタンから押し力を受けて第２ロック部材をロック位置からロック解除位置へ回動させる第２ロック連動機構と、
前記第２ロック部材をロック位置からロック解除位置へ回動駆動可能な第２ロック解除駆動機構と、
を備えたことを特徴とする遊技機。
【請求項４】
前記第１ロック部材が操作ボタンに対して略対称に複数設けられ、
前記第１ロック解除駆動機構が、複数の第１ロック部材を回動駆動する共通の１つのアクチュエータを有することを特徴とする請求項１又は２に記載の遊技機。
【請求項５】
前記第２ロック部材が操作ボタンに対して略対称に複数設けられ、
前記第２ロック解除駆動機構が、複数の第２ロック部材を回動駆動する共通の１つのアクチュエータを有することを特徴とする請求項２又は３に記載の遊技機。
【請求項６】
前記操作ボタンに、操作ボタンが進出位置で第１ロック部材が係合可能な係合部が設けられ、
前記第１ロック連動機構が、前記係合部と、この係合部に当接可能に第１ロック部材に設けられ且つ操作ボタンが退入位置から進出位置へ移動する際に前記係合部から前記押し力を受けるテーパ部とを有することを特徴とする請求項１又は２に記載の遊技機。
【請求項７】
前記第１ロック解除駆動機構は、第１ロック部材に連動連結されたソレノイドアクチュエータを有することを特徴とする請求項６に記載の遊技機。
【請求項８】
前記操作ボタンに、操作ボタンが退入位置で第２ロック部材が係合可能な係合部が設けられ、
前記第２ロック連動機構が、前記係合部と、この係合部に当接可能に第２ロック部材に設けられ且つ操作ボタンが進出位置から退入位置へ移動する際に前記係合部から前記押し力を受けるテーパ部とを有することを特徴とする請求項２又３に記載の遊技機。
【請求項９】
前記第２ロック解除駆動機構は、第２ロック部材に連動連結されたソレノイドアクチュエータを有することを特徴とする請求項８に記載の遊技機。
【請求項１０】
進出位置と退入位置とに亙って進退可能にベース部材に支持され、且つ復帰バネにより進出位置に付勢された操作ボタンを備えた遊技機において、
前記操作ボタンを進出位置又は退入位置にロック可能なボタンロック装置を備え、
前記ボタンロック装置が、
前記進出位置又は退入位置の操作ボタンに当接して操作ボタンをロックするロック位置とロック解除位置とに亙って回動可能に設けられたカム部材と、
前記カム部材をロック位置とロック解除位置とに亙って回動駆動する回動駆動機構と、
を備えたことを特徴とする遊技機。
【請求項１１】
進出位置と退入位置とに亙って進退可能にベース部材に支持され、且つ復帰バネにより進出位置に付勢された操作ボタンを備えた遊技機において、
前記操作ボタンを進出位置又は退入位置にロック可能なボタンロック装置を備え、
前記ボタンロック装置が、
前記進出位置又は退入位置の操作ボタンとベース部材との間に挿入されて操作ボタンをロックするロック位置とロック解除位置とに亙って移動可能に設けられた楔部材と、
前記楔部材をロック位置とロック解除位置とに亙って移動駆動する移動駆動機構と、
を備えたことを特徴とする遊技機。
【発明の詳細な説明】
【技術分野】
【０００１】
本発明は、進退可能な操作ボタンを備えた遊技機に関し、特に、操作ボタンを進出位置や退入位置にロック可能なボタンロック装置に関するものである。
【背景技術】
【０００２】
従来、パチンコ遊技機において、進出位置と退入位置とに亙って進退可能にベース部材に支持され、且つ復帰バネにより進出位置に付勢された演出ボタンを備えた機種（例えば、特許文献１〜３参照）が広く実用に供されている。
【０００３】
この種のパチンコ遊技機では、始動口への遊技球の入賞に基づいて、大当り抽選が行われるとともに、特別図柄が図柄変動後に表示される。表示された特別図柄の種類で大当り抽選の結果が報知され、その後、大当り抽選で当選している場合には、大入賞口が複数ラウンドに亙って開閉する大当り遊技状態が発生する。ここで、図柄変動中のボタン操作有効期間に、遊技者が演出ボタンを操作することで、大当り抽選で当選している大当り期待度（大当り信頼度）が報知される（例えば、特許文献１参照）。
【０００４】
また、大当り抽選で当選した場合に高確抽選が行われ、表示された特別図柄の種類で大当り抽選の結果と共に高確抽選の結果が報知される。高確抽選で当選している場合には、大当り遊技状態の終了後に、大当り抽選の当選確率が通常よりも高い高確遊技状態へ移行する。ここで、高確抽選の結果を遊技者には一見判りにくく報知しておいて、大当り遊技状態等でのボタン操作有効期間に、遊技者が演出ボタンを操作することで、高確抽選で当選している高確期待度（高確信頼度）が報知される。
【０００５】
このような遊技演出によって、遊技者の参加感と共に興趣を高めて、演出効果を高めることができる。ところで、特許文献２には、演出ボタン（リールボタン）を退入位置にロック可能なボタンロック装置と、演出ボタンを進出位置にロック可能で且つ退入位置にロック可能なボタンロック装置が開示されている。また、特許文献３には、演出ボタンを退入位置にロック可能なボタンロック装置が開示されている。
【０００６】
特許文献２の図５、図６の第１のボタンロック装置では、演出ボタンが前後に進退可能に設けられ、演出ボタンから後方へ延びるシャフトの後端部に係止板が取付けられている。ロック部材が係止板よりも前方に配置されて、ソレノイドにより前後に移動駆動される。ロック部材がロック解除位置のときに、遊技者が演出ボタンを通常に操作可能（フリー）になり、ロック部材がロック解除位置から後方のロック位置へ移動し係止板に前側から係合した状態で、操作ボタンが退入位置にロックされる。
【０００７】
特許文献２の図７の第２のボタンロック装置では、演出ボタンが上下に進退可能に設けられ、演出ボタンから下方へ延びるシャフトの下端部に係止板が取付けられている。ロック部材がソレノイドにより水平方向に移動駆動され、ロック部材がロック解除位置のときに、演出ボタンを通常に操作可能になる。演出ボタンが進出位置のときに、ロック部材がロック解除位置からロック位置へ移動し係止板に下側から係合して、演出ボタンが進出位置にロックされ、演出ボタンが退入位置のときに、ロック部材がロック解除位置からロック位置へ移動し係止板に上側から係合して、演出ボタンが退入位置にロックされる。
【０００８】
特許文献３の図３の第３のボタンロック装置では、演出ボタンが上下に進退可能に設けられ、演出ボタンの本体外周部に鍔が形成され、その鍔に側方に開口する凹部が形成されている。ロック部材が弾性体で構成され、ソレノイドにより水平方向に移動駆動される。演出ボタンが進出位置のときに、ロック部材がロック位置へ移動した状態で、演出ボタンが進出位置から退入位置へ押下操作されると、ロック部材が弾性変形して演出ボタンの凹部に挿入され係合して、演出ボタンが退入位置にロックされる。
【０００９】
特許文献３の図７の第４のボタンロック装置では、演出ボタンが上下に進退可能に設けられ、演出ボタンの本体外周部に鍔が形成されている。ロック部材が回動自在にベース部材に支持され、バネ部材によりロック解除位置に付勢されている。演出ボタンが退入位置のときに、ロック部材がソレノイドによりロック解除位置からロック位置へ回動駆動され、演出ボタンの鍔に上側から係合して、演出ボタンが退入位置にロックされる。
【先行技術文献】
【特許文献】
【００１０】
【特許文献１】特開２００４−２７５４５０号公報
【特許文献２】特開２００９−５６０８５号公報
【特許文献３】特開２００８−２００２０２号公報
【発明の概要】
【発明が解決しようとする課題】
【００１１】
特許文献１，２のようなボタンロック装置では、遊技者が演出ボタン等の操作ボタンを操作するタイミングを正確に予測することができないため、そして、操作ボタンの操作速度（進退速度）が早い場合や操作ボタンが連続操作（連打）される場合があること等を鑑みて、操作ボタンを進出位置や退入位置から瞬時にロック解除できるものであっても、操作ボタンを通常に操作可能な（操作ボタンの操作中を含む）状態から、進出位置や退入位置に瞬時に確実にロックすることが困難である。
【００１２】
前記第２のボタンロック装置では、操作ボタンを進出位置又は退入位置にロックするために、ロック部材をロック解除位置からロック位置へ移動させても、そのとき、操作ボタンが進出位置又は退入位置に滞在していない場合が想定される。この場合、ロック部材が係止板に側方から衝突して、ロック部材や操作ボタン等が無理な力を受けて損傷する虞がある。或いは、操作ボタンが逆の退入位置又は進出位置に誤ってロックされる虞もある。
【００１３】
操作ボタンが退入位置へ移動した場合、それをボタンＳＷにより検知することができるので、操作ボタンをロック解除位置からロック位置へ移動させるトリガーとすることができる。しかし、操作ボタンが退入位置に滞在する時間は短いことが多いことから、操作ボタンが退入位置に滞在している間に、ロック部材をロック解除位置からロック位置へ移動させて、ロック部材が係止板に適切に係合する信頼性は非常に低い。
【００１４】
前記第３のボタンロック装置では、操作ボタンの不必要な押下操作を防止することを目的に、操作ボタンの不必要な押下操作がなされると、その１回目の押下操作で操作ボタンを退入位置にロックするようにしている。しかし、ロック部材は弾性体からなり、そのロック部材が弾性変形して操作ボタンの凹部に係合するようにしているため、操作ボタンが退入位置に確実にロックされる信頼性は低い。しかも、弾性変形を繰返されるロック部材は損傷し易く性能を維持することが難しく、結局、実用に耐え得るものとならない。
【００１５】
前記第４のボタンロック装置では、ロック部材がバネ部材によりロック解除位置に付勢されており、ソレノイドによりロック位置へ回動駆動され、操作ボタンの鍔に係合して、操作ボタンを退入位置にロックするため、前記第２のボタンロック装置と同様の課題が生じる。尚、特許文献３には、このボタンロック装置の変更形態として、ロック部材をバネ部材によりロック位置に付勢し、ソレノイドによりロック位置からロック解除位置へ回動駆動することが開示されているが、それ以上の記載はなく、上記課題は解消されない。
【００１６】
尚、特許文献２には、ロック部材とソレノイドを２組以上設けてもよい旨が開示されている。しかし、駆動源であるソレノイドが複数必要になるため、構造を小型化するうえで、また、製作コストを低減するうえで不利になる。複数のソレノイドを配置するスペースを確保するのも難しくなる。
【００１７】
本発明の目的は、操作ボタンを進出位置や退入位置に瞬時に確実にロックすることができる、ボタンロック装置を備えた遊技機を提供することである。
【課題を解決するための手段】
【００１８】
請求項１の発明は、進出位置と退入位置とに亙って進退可能にベース部材(41)に支持され、且つ復帰バネ(49)により進出位置に付勢された操作ボタン(42)を備えた遊技機(1) において、前記操作ボタン(42)を進出位置にロック可能なボタンロック装置(44,44A)を備え、前記ボタンロック装置(44,44A)が、前記進出位置の操作ボタン(42)に係合して操作ボタン(42)をロックするロック位置とロック解除位置とに亙って回動自在にベース部材(41)に支持された第１ロック部材(60)と、前記第１ロック部材(60)をロック位置に付勢する第１バネ部材(61)と、前記操作ボタン(42)が退入位置から進出位置へ移動する際に、操作ボタン(42)から押し力を受けて第１ロック部材(60)をロック位置からロック解除位置へ回動させる第１ロック連動機構(62)と、前記第１ロック部材(60)をロック位置からロック解除位置へ回動駆動可能な第１ロック解除駆動機構(63)とを備えたことを特徴とする。
【００１９】
請求項２の発明は、請求項１の発明において、前記ボタンロック装置(44A) は操作ボタン(42)を退入位置にロック可能に構成され、前記ボタンロック装置(44A) が、前記退入位置の操作ボタン(42)に係合して操作ボタン(42)をロックするロック位置とロック解除位置とに亙って回動自在にベース部材(41)に支持された第２ロック部材(60A) と、前記第２ロック部材(60A) をロック位置に付勢する第２バネ部材(61A) と、前記操作ボタン(42)が進出位置から退入位置へ移動する際に、操作ボタン(42)から押し力を受けて第２ロック部材(60A) をロック位置からロック解除位置へ回動させる第２ロック連動機構(62A) と、前記第２ロック部材(60A) をロック位置からロック解除位置へ回動駆動可能な第２ロック解除駆動機構(63A) とを備えたことを特徴とする。
【００２０】
請求項３の発明は、進出位置と退入位置とに亙って進退可能にベース部材(41)に支持され、且つ復帰バネ(49)により進出位置に付勢された操作ボタン(42)を備えた遊技機(1) において、前記操作ボタン(42)を退入位置にロック可能なボタンロック装置(44A) を備え、前記ボタンロック装置(44A) が、前記退入位置の操作ボタン(42)に係合して操作ボタン(42)をロックするロック位置とロック解除位置とに亙って回動自在にベース部材(41)に支持された第２ロック部材(60A) と、前記第２ロック部材(60A) をロック位置に付勢する第２バネ部材(61A) と、前記操作ボタン(42)が進出位置から退入位置へ移動する際に、操作ボタン(42)から押し力を受けて第２ロック部材(60A) をロック位置からロック解除位置へ回動させる第２ロック連動機構(62A) と、前記第２ロック部材(60A) をロック位置からロック解除位置へ回動駆動可能な第２ロック解除駆動機構(63A) とを備えたことを特徴とする。
【００２１】
請求項４の発明は、請求項１又は２の発明において、前記第１ロック部材(60)が操作ボタン(42)に対して略対称に複数設けられ、前記第１ロック解除駆動機構(63)が、複数の第１ロック部材(60)を回動駆動する共通の１つのアクチュエータ(63a) を有することを特徴とする。
【００２２】
請求項５の発明は、請求項２又は３の発明において、前記第２ロック部材(60A) が操作ボタン(42)に対して略対称に複数設けられ、前記第２ロック解除駆動機構(63A) が、複数の第２ロック部材(60A) を回動駆動する共通の１つのアクチュエータ(63Aa)を有することを特徴とする。
【００２３】
請求項６の発明は、請求項１又は２の発明において、前記操作ボタン(42)に、操作ボタン(42)が進出位置で第１ロック部材(60)が係合可能な係合部(42h,42Ah)が設けられ、前記第１ロック連動機構(62)が、前記係合部(42h,42Ah)と、この係合部(42h,42Ah)に当接可能に第１ロック部材(60)に設けられ且つ操作ボタン(42)が退入位置から進出位置へ移動する際に前記係合部(42h,42Ah)から前記押し力を受けるテーパ部(60c) とを有することを特徴とする。
【００２４】
請求項７の発明は、請求項６の発明において、前記第１ロック解除駆動機構(63)は、第１ロック部材(60)に連動連結されたソレノイドアクチュエータ(60a) を有することを特徴とする。
【００２５】
請求項８の発明は、請求項２又は３の発明において、前記操作ボタン(42)に、操作ボタン(42)が退入位置で第２ロック部材(60A) が係合可能な係合部(42Ah)が設けられ、前記第２ロック連動機構(62A) が、前記係合部(42Ah)と、この係合部(42Ah)に当接可能に第２ロック部材(60A) に設けられ且つ操作ボタン(42)が進出位置から退入位置へ移動する際に前記係合部(42Ah)から前記押し力を受けるテーパ部(60Ac)とを有することを特徴とする。
【００２６】
請求項９の発明は、請求項８の発明において、前記第２ロック解除駆動機構(63A) は、第２ロック部材(60A) に連動連結されたソレノイドアクチュエータ(63Aa)を有することを特徴とする。
【００２７】
請求項１０の発明は、進出位置と退入位置とに亙って進退可能にベース部材(41)に支持され、且つ復帰バネ(49)により進出位置に付勢された操作ボタン(42)を備えた遊技機(1) において、前記操作ボタン(42)を進出位置又は退入位置にロック可能なボタンロック装置(44B) を備え、前記ボタンロック装置(44B) が、前記進出位置又は退入位置の操作ボタン(42)に当接して操作ボタン(42)をロックするロック位置とロック解除位置とに亙って回動可能に設けられたカム部材(70)と、前記カム部材(70)をロック位置とロック解除位置とに亙って回動駆動する回動駆動機構(75)とを備えたことを特徴とする。
【００２８】
請求項１１の発明は、進出位置と退入位置とに亙って進退可能にベース部材(41)に支持され、且つ復帰バネ(49)により進出位置に付勢された操作ボタン(42)を備えた遊技機(1) において、前記操作ボタン(42)を進出位置又は退入位置にロック可能なボタンロック装置(44C) を備え、前記ボタンロック装置(44C) が、前記進出位置又は退入位置の操作ボタン(42)とベース部材(41)との間に挿入されて操作ボタン(42)をロックするロック位置とロック解除位置とに亙って移動可能に設けられた楔部材(80)と、前記楔部材(80)をロック位置とロック解除位置とに亙って移動駆動する移動駆動機構(85)とを備えたことを特徴とする。
【発明の効果】
【００２９】
請求項１の遊技機によれば、前記第１ロック部材、第１バネ部材、第１ロック連動機構、第１ロック解除駆動機構を備えたボタンロック装置により、操作ボタンを進出位置に瞬時に確実にロックすることができ、進出位置から瞬時に確実にロック解除することができる。
【００３０】
請求項２の遊技機によれば、前記第２ロック部材、第２バネ部材、第２ロック連動機構、第２ロック解除駆動機構を備えたボタンロック装置により、操作ボタンを進出位置だけでなく、退入位置に瞬時に確実にロックすることができ、退入位置から瞬時に確実にロック解除することができる。
【００３１】
請求項３の遊技機によれば、前記第２ロック部材、第２バネ部材、第２ロック連動機構、第２ロック解除駆動機構を備えたボタンロック装置により、操作ボタンを退入位置に瞬時に確実にロックすることができ、退入位置から瞬時に確実にロック解除することができる。
【００３２】
請求項４の遊技機によれば、操作ボタンに対して略対称に設けられた複数の第１ロック部材により、操作ボタンを進出位置に安定的にロックすることができ、第１ロック解除駆動機構が、複数の第１ロック部材を回動駆動する共通の１つのアクチュエータを有するので、操作ボタンの進出位置におけるロック・ロック解除を円滑に行うことができ、しかも、第１ロック解除駆動機構の製作コストを低減することができる。
【００３３】
請求項５の遊技機によれば、操作ボタンに対して略対称に設けられた複数の第２ロック部材により、操作ボタンを退入位置に安定的にロックすることができ、第２ロック解除駆動機構が、複数の第２ロック部材を回動駆動する共通の１つのアクチュエータを有するので、操作ボタンの退入位置におけるロック・ロック解除を円滑に行うことができ、しかも、第２ロック解除駆動機構の製作コストを低減することができる。
【００３４】
請求項６の遊技機によれば、操作ボタンが進出位置のときに、ロック位置の第１ロック部材を、操作ボタンに設けられた係合部に確実に係合させることができ、この係合部と第１ロック部材のテーパ部により、第１ロック連動機構を構成し、その機能を確実に発揮させることができる。
【００３５】
請求項７の遊技機によれば、第１ロック解除駆動機構は、第１ロック部材に連動連結されたソレノイドアクチュエータを有するので、第１ロック部材をロック位置からロック解除位置へ確実に回動させることができる。
【００３６】
請求項８の遊技機によれば、操作ボタンが退入位置のときに、ロック位置の第２ロック部材を、操作ボタンに設けられた係合部に確実に係合させることができ、この係合部と第２ロック部材のテーパ部により、第２ロック連動機構を構成し、その機能を確実に発揮させることができる。
【００３７】
請求項９の遊技機によれば、第２ロック解除駆動機構は、第２ロック部材に連動連結されたソレノイドアクチュエータを有するので、第２ロック部材をロック位置からロック解除位置へ確実に回動させることができる。
【００３８】
請求項１０の遊技機によれば、前記カム部材、回動駆動機構を備えたボタンロック装置により、操作ボタンを進出位置又は退入位置に確実にロックすることができ、進出位置又は退入位置から確実にロック解除することができる。
【００３９】
請求項１１の遊技機によれば、前記楔部材、移動駆動機構を備えたボタンロック装置により、操作ボタンを進出位置又は退入位置に確実にロックすることができ、進出位置又は退入位置から確実にロック解除することができる。
【図面の簡単な説明】
【００４０】
【図１】実施例１のパチンコ遊技機の正面図である。
【図２】パチンコ遊技機の制御系のブロック図である。
【図３】操作ボタン装置を装備した皿構造体の平面図である。
【図４】操作ボタン装置の平面図である。
【図５】操作ボタン装置の底面図である。
【図６】演出ボタンが進出位置にある状態の操作ボタン装置の部分断面斜視図である。
【図７】演出ボタンが退入位置にある状態の操作ボタン装置の部分断面斜視図である。
【図８】演出ボタンの正面図である。
【図９】演出ボタンの底面図である。
【図１０】図４のX −X 線断面図である。
【図１１】図１０のXI−XI線断面図である。
【図１２】演出ボタンが進出位置にあり第１ロック部材がロック解除位置にある状態のボタンロック装置の作動説明図である。
【図１３】演出ボタンが進出位置にあり第１ロック部材がロック位置にある状態のボタンロック装置の作動説明図である。
【図１４】演出ボタンが退入位置にあり第１ロック部材がロック位置にある状態のボタンロック装置の作動説明図である。
【図１５】演出ボタンが退入位置から進出位置へ移動し第１ロック部材がロック位置からロック解除位置へ回動している状態のボタンロック装置の作動説明図である。
【図１６】操作ボタン装置の制御系のブロック図である。
【図１７】演出ボタンロック制御のフローチャートである。
【図１８】実施例２の図１０相当図である。
【図１９】図１８のXIX −XIX 線断面図である。
【図２０】演出ボタンが進出位置にあり第１，第２ロック部材がロック解除位置にある状態のボタンロック装置の作動説明図である。
【図２１】演出ボタンが退入位置にあり第２ロック部材がロック位置にある状態のボタンロック装置の作動説明図である。
【図２２】演出ボタンが進出位置にあり第２ロック部材がロック位置にある状態のボタンロック装置の作動説明図である。
【図２３】演出ボタンが進出位置から退入位置へ移動し第２ロック部材がロック位置からロック解除位置へ回動している状態のボタンロック装置の作動説明図である。
【図２４】操作ボタン装置の制御系のブロック図である。
【図２５】演出ボタンロック制御のフローチャートである。
【図２６】進出位置ロック制御のフローチャートである。
【図２７】退入位置ロック制御のフローチャートである。
【図２８】実施例２の変更形態の演出ボタンロック制御のフローチャートである。
【図２９】実施例３の図１０相当図である。
【図３０】図２９のXXX −XXX 線断面図である。
【図３１】演出ボタンが進出位置にありカム部材がロック解除位置にある状態のボタンロック装置の作動説明図である。
【図３２】演出ボタンが進出位置にありカム部材がロック位置にある状態のボタンロック装置の作動説明図である。
【図３３】実施例４の演出ボタンが進出位置にあり楔部材がロック解除位置にある状態のボタンロック装置の作動説明図である。
【図３４】実施例４の演出ボタンが進出位置にあり楔部材がロック位置にある状態のボタンロック装置の作動説明図である。
【図３５】実施例５のパチンコ遊技機の機能ブロック図である。
【図３６】遊技状態とその移行先を示す図である。
【図３７】大当り図柄と大当り遊技状態とその後の遊技状態との関係を示す図である。
【図３８】小当り図柄と小当り遊技とその後の遊技状態との関係を示す図である。
【図３９】演出制御基板が実行するタイマ割込処理のフローチャートである。
【図４０】コマンド受信処理のフローチャートである。
【図４１】変動演出選択処理のフローチャートである。
【図４２】変動演出終了中処理のフローチャートである。
【図４３】当り演出選択処理のフローチャートである。
【図４４】エンディング演出選択処理のフローチャートである。
【図４５】モードフラグ変更処理に用いるテーブルを示した図である。
【図４６】複数種類の演出選択テーブルと各種演出パターンを示した図である。
【図４７】演出ボタン処理のフローチャートである。
【図４８】第１のボタンロック制御処理のフローチャートである。
【図４９】第１のボタンロック制御処理で用いるテーブルである。
【図５０】第２のボタンロック制御処理のフローチャートである。
【図５１】第２のボタンロック制御処理で用いるテーブルである。
【図５２】第２のボタンロック制御処理で用いるテーブルである。
【図５３】第３のボタンロック制御処理のフローチャートである。
【図５４】第３のボタンロック制御処理で用いるテーブルである。
【図５５】第４のボタンロック制御処理のフローチャートである。
【図５６】第４のボタンロック制御処理で用いるテーブルである。
【図５７】第５のボタンロック制御処理のフローチャートである。
【図５８】画像制御処理のフローチャートである。
【図５９】画像制御処理のフローチャートである。
【発明を実施するための形態】
【００４１】
本発明の遊技機は、操作ボタンが、進出位置と退入位置とに亙って進退可能にベース部材に支持され、且つ復帰バネにより進出位置に付勢され、この操作ボタンを進出位置と退入位置の少なくとも一方にロック可能なボタンロック装置を備えたものである。以下、発明を実施するための形態について、実施例に基づいて説明する。
【実施例１】
【００４２】
図１に示すように、パチンコ遊技機１には、遊技ホールの島構造体等に取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００４３】
図１、図３に示すように、開閉扉３には、窓３ａの下側に皿構造体６が設けられ、この皿構造体６の右下側に発射ハンドル７が装着されている。皿構造体６は、開閉扉３の本体部分から前方へ膨出するように形成され、この皿構造体６に、遊技球を貯留する貯留皿６ａが形成されるとともに、本案特有の操作ボタン装置４０が装備されている。この操作ボタン装置４０については後で詳細に説明する。
【００４４】
発射ハンドル７が回動操作されると、貯留皿６ａから発射位置に導入された遊技球が発射され、ここで、貯留皿６ａに複数の遊技球が存在する場合には、複数の遊技球が約０．６秒間隔で連続発射される。発射された遊技球はガイドレール８で案内され遊技領域５の上部に投入される。
【００４５】
図１、図２に示すように、遊技盤４には、多数の障害釘１０、始動入賞口装置１１、ゲート１２、大入賞口装置１３、複数の一般入賞口１４、センタ役物１５、画像表示器１６、遊技表示盤１９が、図示の配置にて装着され、遊技盤４の裏面側に制御装置２０が装着されている。
【００４６】
始動入賞口装置１１は、第１，第２始動入賞口１１ａ，１１ｂ、第２始動入賞口１１ｂを開閉する開閉部材１１ｃ、第１，第２始動入賞口１１ａ，１１ｂに入賞した遊技球を夫々検出する第１，第２始動口ＳＷ１１ｄ，１１ｅ、開閉部材１１ｃを開閉駆動する電チューＳＯＬ１１ｆを有する。開閉部材１１ｃは、第２始動入賞口１１ｂへの遊技球の入賞を閉位置で不可能にし開位置で可能にする。ゲート１２には通過した遊技球を検出するゲートＳＷ１２ａが付設されている。
【００４７】
大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、大入賞口１３ａへの遊技球の入賞を閉位置で不可能にし開位置で可能にする。各一般入賞口１４には入賞した遊技球を検出する一般入賞口ＳＷ１４ａが付設されている。
【００４８】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００４９】
第１特別図柄表示器１９ａには、第１始動入賞口１１ａへの遊技球の入賞に基づいて第１特別図柄が図柄変動後に停止表示され、第２特別図柄表示器１９ｂには、第２始動入賞口１１ｂへの遊技球の入賞に基づいて第２特別図柄が図柄変動後に停止表示される。第１又は第２特別図柄表示器１９ａ又は１９ｂに大当り図柄が停止表示された場合、大当り遊技状態が発生して、大入賞口装置１３が、開閉部材１３ｂを開閉動作させ、通常は閉塞の大入賞口１３ａを複数ラウンドに亙って開閉させる。
【００５０】
普通図柄表示器１９ｃには、ゲート１２への遊技球の入賞に基づいて普通図柄が図柄変動後に停止表示される。普通図柄表示器１９ｃに当り図柄が停止表示された場合、補助遊技が発生して、始動入賞口装置１１が、開閉部材１１ｃを開閉動作させ、通常は閉塞の第２始動入賞口１１ｂを１又は複数回開閉させる。
【００５１】
第１特別図柄保留ランプ１９ｄには、第１始動入賞口１１ａに入賞した遊技球の数であって第１特別図柄表示器１９ａでの図柄変動に未だ供していない第１保留数が４個まで表示され、第２特別図柄保留ランプ１９ｅには、第２始動入賞口１１ｂに入賞した遊技球の数であって第２特別図柄表示器１９ｂでの図柄変動に未だ供していない第２保留数が４個まで表示され、普通図柄保留ランプ１９ｆには、ゲート１２に入賞した遊技球の数であって普通図柄表示器１９ｃでの図柄変動に未だ供していない保留数が４個まで表示される。
【００５２】
発射ハンドル７を回動操作することで、発射され遊技領域５の上部に投入された遊技球は、複数の障害釘１０に当たって方向を変えながら落下して、入賞口１１ａ，１１ｂ，１３ａ，１４の何れかに入賞した場合、そこから遊技領域５外へ排出され、入賞口１１ａ，１１ｂ，１３ａ，１４の何れにも入賞しなかった場合には、最終的に、遊技領域５の下端部に形成されたアウト口９から遊技領域５外へ排出される。
【００５３】
パチンコ遊技機１の制御系について説明する。
図２に示すように、制御装置２０は、メイン制御装置２１とサブ制御装置２５とで構成されている。メイン制御装置２１は、遊技制御基板２２にＣＰＵとＲＯＭとＲＡＭを備えて構成されている。遊技制御基板２２は盤用外部情報端子基板２３に接続されている。
【００５４】
サブ制御装置２５は、払出制御基板２６、演出制御基板２７、画像制御基板２８、ランプ制御基板２９を備え、この複数の制御基板２６〜２９に夫々ＣＰＵとＲＯＭとＲＡＭを備えて構成され、更に、演出制御基板２７はＲＴＣを備えている。払出制御基板２６は枠用外部情報端子基板２４に接続されている。
【００５５】
遊技制御基板２２は、第１，第２始動口ＳＷ１１ｄ，１１ｅ、ゲートＳＷ１２ａ、大入賞口ＳＷ１３ｃ、一般入賞口ＳＷ１４ａからの球検出信号と、払出制御基板２６からの制御情報を受けて、電チューＳＯＬ１１ｆ、大入賞口ＳＯＬ１３ｄ、図柄表示器１９ａ，１９ｂ，１９ｃ、図柄保留ランプ１９ｄ，１９ｅ，１９ｆを制御し、払出制御基板２６と演出制御基板２７と盤用外部情報端子基板２３に制御情報（遊技情報）を出力する。
【００５６】
払出制御基板２６は、遊技制御基板２２からの制御情報と、払出球検出ＳＷ３１、球有り検出ＳＷ３２、満タン検出ＳＷ３３からの球検出信号を受けて、払出駆動モータ３０を制御し、入賞口１１ａ，１１ｂ，１３ａ，１４への遊技球の入賞１個について、入賞口１１ａ，１１ｂ，１３ａ，１４毎に設定された数の遊技球を貯留皿６ａに払出し、遊技制御基板２２と枠用外部情報端子基板２４に制御情報（払出情報）を出力する。
【００５７】
演出制御基板２７は、遊技制御基板２２からの制御情報と、操作ボタン装置４０からの操作検出信号を受けて、画像制御基板２８に制御情報を出力し、更に、画像制御基板２８からの制御情報を受けて、操作ボタン装置４０を制御し、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３５と盤ランプ３６とを制御する。
【００５８】
次に、操作ボタン装置４０について詳細に説明する。
図１〜図１６に示すように、操作ボタン装置４０は、ベース部材４１、演出ボタン４２、演出ボタンＳＷ４３、ボタンロック装置４４、ＥＮＴＥＲボタン４５、十字ボタン４６、ＥＮＴＥＲボタンＳＷ４７、十字ボタンＳＷ４８ａ〜４８ｄを備えている。
【００５９】
図４〜図７、図１０に示すように、ベース部材４１は、底壁部５０ａと底壁部５０ａの外周部から立設された周壁部５０ｂとを有するベース本体５０、ベース本体５０の内側に収容された上部内カバー５１、ベース本体５０の内側と上部内カバー５１を覆うようにベース本体５０に固定された上部外カバー５２、ベース本体５０の下面に固定された基板５３、基板５３を覆うようにベース本体５０に固定された下部カバー５４、ベース本体５０の下側に設けられベース本体５０と基板５３と下部カバー５４の少なくとも１つに固定されたロック装置ケース５５を有する。
【００６０】
上部外カバー５２の上面が、皿構造体６の上面と略連なって上方へ露出するように、また、演出ボタン４２、ＥＮＴＥＲボタン４５、十字ボタン４６が上方へ露出するように、操作ボタン装置４０が皿構造体６に組付けられている。
【００６１】
図４、図６〜図１０に示すように、演出ボタン４２は、進出位置（図６、図１０の実線を参照）と退入位置（図７、図１０の仮想線を参照）とに亙って上下に進退可能にベース部材４１に支持され、復帰バネ４９により進出位置（上方）に付勢されている。この演出ボタン４２が本発明の操作ボタンに相当する。
【００６２】
演出ボタン４２は、その上部に位置する平面視円形の出没操作部４２ａ、出没操作部４２ｂから下方へ延び且つ出没操作部４２ａよりも小径の筒部４２ｂ、筒部４２ｂから左右両外側へ突出する１対の突出部４２ｃ、右側の突出部４２ｃから下方へ延びる遮蔽板取付部４２ｄ、筒部４２ｂから内側へ張出す内鍔部４２ｅ、内鍔部４２ｅの左右両内端部から下方へ延びる１対の脚部４２ｆ、１対の脚部４２ｆの長さ方向途中部に設けられた演出ボタン抜止め用の１対のフック部４２ｇ、１対の脚部４２ｆの下端部に設けられた演出ボタンロック用の１対の係合部４２ｈを有する。
【００６３】
ベース本体５０の左部には、その底壁部５０ａから上方へ突出する筒状部５０ｃが形成され、この筒状部５０ｃの左右両側部分に１対の突出部挿入部５０ｄが形成されている。演出ボタン４２の筒部４２ｂが筒状部５０ｃに上下動自在に内嵌され、また、演出ボタン４２の１対の突出部４２ｃが１対の突出部挿入部５０ｄに上下動自在に挿入され、演出ボタン４２は回り止めされて上下に進退可能に組付けられている。
【００６４】
ベース本体５０の左部には、その底壁部５０ａに開口５０ｅが形成されるとともに、底壁部５０よりも上方へ突出する左右１対の断面矩形の係止部５０ｆが形成され、また、基板５３（また、下部カバー５４）に開口５０ｅに連通する開口５３ａ，５３ｂが形成されている。演出ボタン４２の１対の脚部４２ｆは、１対の係止部５０ｆの外側近傍を通り、開口５０ｅ，５３ａ，５３ｂを挿通して下方へ延びロック装置ケース５５の内部に達し、演出ボタン４２の１対のフック部４２ｇは１対の係止部５０ｆの下側に位置している。
【００６５】
演出ボタン４２の筒部４２ｂの内側且つ１対の脚部４２ｆの外側において、演出ボタン４２の内鍔部４２ｅとベース本体５０の底壁部５０ａとの間に圧縮コイルバネからなる復帰バネ４９が装着されている。１対のフック部４２ｇが１対の係止部５０ｆに下側から係合した状態で、演出ボタン４２が進出位置になり、出没操作部４２ａが上部外カバー５２よりも上方へ突出した状態になる。出没操作部４２ａが筒状部５０ｃの上端部に当接した状態で、演出ボタン４２が退入位置になり、出没操作部４２ａの上面と上部外カバー５２の上面の高さ位置が略同じになる。
【００６６】
図４、図６、図７、図１０に示すように、演出ボタンＳＷ４３は、発光部と受光部とを有する光学センサからなり、ロック装置ケース５５の右側において、基板５３の下面に実装されている。演出ボタン４２の遮蔽板取付部４２ｄに遮蔽板４３ａが取付けられている。演出ボタン４２が進出位置のとき、遮蔽板４３ａが演出ボタンＳＷ４３の発光部と受光部の間に位置して（図６参照）、演出ボタンＳＷ４３がオフになる。演出ボタン４２が退入位置のとき、遮蔽板４３ａが演出ボタンＳＷ４３の発光部と受光部の間から下方へ退いて（図７参照）、演出ボタンＳＷ４３がオンになる。
【００６７】
ボタンロック装置４４について説明する。
図１０〜図１５に示すように、ボタンロック装置４４は、演出ボタン４２を進出位置にロック可能に構成されたものであり、ロック装置ケース５５に収容されている。
【００６８】
このボタンロック装置４４は、進出位置の演出ボタン４２に係合して演出ボタン４２をロックするロック位置（図１３、図１４参照）とロック解除位置（図１２参照）とに亙って回動自在にベース部材４１に支持された１対の第１ロック部材６０と、１対の第１ロック部材６０をロック位置に付勢する１対の第１バネ部材６１と、演出ボタン４２が退入位置から進出位置へ移動する際（図１５参照）に、演出ボタン４２から押し力を受けて１対の第１ロック部材６０をロック位置からロック解除位置へ回動させる１対の第１ロック連動機構６２と、１対の第１ロック部材６０をロック位置からロック解除位置へ回動駆動可能な第１ロック解除駆動機構６３とを備えている。
【００６９】
１対の第１ロック部材６０及び第１バネ部材６１及び第１ロック連動機構６２は、演出ボタン４２の１対の脚部４２ｆに夫々対応するように、演出ボタン４２の中心に対して左右対称に設けられている。次に、各第１ロック部材６０及び第１バネ部材６１及び第１ロック連動機構６２について詳しく説明する。
【００７０】
第１ロック部材６０は、その長さ方向略中央部が、演出ボタン４２の脚部４２ｆよりも後方に位置する左右に向く軸６０ａを介して、ロック装置ケース５５の軸支部５５ａに枢支されている。尚、第１ロック部材６０がロック位置とロック解除位置間の回動範囲以上の回動を規制する回動規制部（図示略）が軸支部５５ａ等に設けられているものとする。第１ロック部材６０の下部に前方へ張出すフック部６０ｂが形成され、第１ロック部材６０がロック位置のとき、そのフック部６０ｂが進出位置の演出ボタン４２の脚部４２ｆに形成された係合部４２ｈに下側から係合する。
【００７１】
ここで、係合部４２ｈは、脚部４２ｆの下端部に、その本体部分から演出ボタン４２の中心側へ突出するように一体形成されている。この係合部４２ｈを含む部分が下方開の二股状に形成され、第１ロック部材６０が係合部４２ｈから不要に係合解除するのを防止する。第１バネ部材６１は、引っ張りコイルバネからなり、その両端部が、第１ロック部材６０の上端部と、その後方に位置するロック装置ケース５５のバネ連結部５５ｂに連結されている。
【００７２】
第１ロック連動機構６２は、係合部４２ｈと、係合部４２ｈに上側から当接可能に第１ロック部材６０に設けられ且つ演出ボタン４２が退入位置から進出位置へ移動する際に係合部４２ｈから押し力を受けるテーパ部６０ｃとを有する。テーパ部６０ｃは、フック部６０ｂにその下端部から前上端部に亙って、上方程前方へ移行するように且つ多少外側凸に湾曲するように形成されている。
【００７３】
第１ロック解除駆動機構６３が非作動状態のとき、演出ボタン４２が退入位置側から進出位置へ移動する際、係合部４２ｈがテーパ部６０ｃに係合して、第１ロック部材６０をロック位置側から第１バネ部材６１の付勢力に抗してロック解除位置へ回動させ、演出ボタン４２が進出位置に到達すると、係合部４２ｈがテーパ部６０ｃから係合解除して、第１ロック部材６０が第１バネ部材６１の付勢力によりロック解除位置からロック位置へ回動して、係合部４２ｈに係合するように構成されている。
【００７４】
但し、演出ボタン４２は、退入位置側から進出位置へは復帰バネ４９の付勢力により移動するため、その際、第１ロック部材６０がロック位置からロック解除位置へ回動し得るように、復帰バネ４９及び１対の第１バネ部材６１の付勢力が設定されている。
【００７５】
次に、第１ロック解除駆動機構６３について詳しく説明する。
第１ロック解除駆動機構６３は、１対の第１ロック部材６０を回動駆動する共通の１つの第１ロックＳＯＬ６３ａと、第１ロックＳＯＬ６３ａを１対の第１ロック部材６０に連動連結する第１連結部材６３ｂとを有する。
【００７６】
第１連結部材６３ｂは、平面視にて前方開のコ字状に形成され、その左右両前端部が１対の第１ロック部材６０の上端部に、夫々、連結ピン６３ｃと連結長孔６３ｄとを介して、回動自在に且つ第１ロック部材６０の長さ方向へ相対的に移動自在に連結されている。第１ロックＳＯＬ６３ａは、第１連結部材６３ｂの後側に前向きに配置されて、ロック装置ケース５５のＳＯＬ取付部５５ｃに取付けられ、そのプランジャ６３ａ１の前端部が第１連結部材６３ｂに連結されている。
【００７７】
第１ロックＳＯＬ６３ａがオンされると、プランジャ６３ａ１が進出駆動され、第１ロック解除駆動機構６３が作動状態になり、第１ロックＳＯＬ６３ａがオフされると、プランジャ６３ａ１が進退自在になり、第１ロック解除駆動機構６３が非作動状態になる。尚、１対の第１バネ部材６１の代わりに、第１連結部材６３ｂを後方へ付勢する共通の１つのバネを設けてもよい。この場合、第１ロックＳＯＬ６３ａに、プランジャ６３ａ１を退入側へ付勢するように組付けられたバネを採用してもよい。
【００７８】
尚、ＥＮＴＥＲボタン４５に対応するＥＮＴＥＲボタンＳＷ４７（図１６参照）が基板５３に実装されている。また、十字ボタン４６は、４つの第１〜第４十字ボタン４６ａ〜４６ｄ（図４参照）からなり、第１〜第４十字ボタン４６ａ〜４６ｄに対応する第１〜第４十字ボタンＳＷ４８ａ〜４８ｄ（図１６参照）が基板５３に実装されている。
【００７９】
図１６に示すように、演出制御基板２７は、遊技制御基板２２及び画像制御基板２８からの制御情報に基づいて、更に、操作ボタン装置４０のＳＷ４３，４７，４８ａ〜４８ｄからの操作検出信号に基づいて、各種処理を実行するとともに、第１ロックＳＯＬ６３ａを制御することで、演出ボタンロック制御を実行する。
【００８０】
図１７に示すように、演出制御基板２７が実行する演出ボタンロック制御では、先ず、演出ボタン４２を進出位置にロックするか否か判定される（Ｓ１）。Ｓ１；Noの場合、第１ロックＳＯＬ６３ａがオンされ（Ｓ２）、第１ロック解除駆動機構６３が作動状態となり、Ｓ１；Yes の場合、第１ロックＳＯＬ６３ａがオフされ（Ｓ３）、第１ロック解除駆動機構６３が作動状態となる。Ｓ２、Ｓ３において、第１ロックＳＯＬ６３ａのオン／オフの切換を行う場合、その切換えは、演出ボタン４２の位置に関わらず直ちに実行される。次に、第１ロック部材６０に関する作用について説明する。
【００８１】
演出ボタン４２が進出位置のときに、第１ロックＳＯＬ６３ａがオンからオフに切換えられると、第１ロック部材６０がロック位置に切換わって係合部４２ｈに係合し、演出ボタン４２が進出位置に瞬時に確実にロックされる。演出ボタン４２が進出位置以外の位置のときに、第１ロックＳＯＬ６３ａがオンからオフに切換えられると、第１ロック部材６０がロック位置側へ切換わるが、その後、演出ボタン４２が進出位置へ移動する際、第１ロック部材６０が一旦ロック解除位置に切換わり、演出ボタン４２が進出位置に到達すると、第１ロック部材６０がロック位置に切換わって係合部４２ｈに係合し、演出ボタン４２が進出位置に瞬時に確実にロックされる。
【００８２】
また、演出ボタン４２が進出位置のときに、第１ロック部材６０がロック位置で係合部４２ｈに係合している状態から、第１ロックＳＯＬ６３ａがオフからオンに切換えられると、第１ロック部材６０がロック解除位置に切換わって係合部４２ｈから係合解除し、演出ボタン４２が進出位置からに瞬時に確実にロック解除される。
【００８３】
ここで、演出ボタン４２の操作が有効となるボタン操作有効期間が、全体の遊技時間に対してかなり短いものとして、通常は、第１ロックＳＯＬ６３ａをオフにして、演出ボタン４２を進出位置にロックする方が有利である。何故なら、第１ロックＳＯＬ６３ａをオンにすると、演出ボタン４２を操作可能になるが、そうしないことで、不要な電力を使わずに節電し、また、演出ボタン４２の不要な操作も防止し、不要操作が繰返されることによる損傷を防止することができる。
【００８４】
以上説明したように、１対の第１ロック部材６０、１対の第１バネ部材６１、１対の第１ロック連動機構６２、第１ロック解除駆動機構６３を備えたボタンロック装置４４により、演出ボタン４２を進出位置に瞬時に確実にロックすることができ、進出位置から瞬時に確実にロック解除することができる。
【００８５】
操作ボタン４２に対して対称に設けられた１対の第１ロック部材６０により、演出ボタン４２を進出位置に安定的にロックすることができ、第１ロック解除駆動機構６３が、１対の第１ロック部材６０に連動連結され、１対の第１ロック部材６０を回動駆動する共通の１つの第１ロックＳＯＬ６３ａを有するので、１対の第１ロック部材６０をロック位置からロック解除位置へ確実に回動させ、演出ボタン４２の進出位置におけるロック・ロック解除を円滑に行うことができ、しかも、第１ロック解除駆動機構６３の製作コストを低減することができる。
【００８６】
演出ボタン４２が進出位置のときに、ロック位置の１対の第１ロック部材６０を、演出ボタン４２に設けられた１対の係合部４２ｈに確実に係合させることができ、この１対の係合部４２ｈと第１ロック部材６０の１対のテーパ部６０ｃにより、１対の第１ロック連動機構６２を構成し、その機能を確実に発揮させることができる。
【実施例２】
【００８７】
実施例２の操作ボタン装置４０Ａは、実施例１の操作ボタン装置４０の主にボタンロック装置４４を変更したものである。尚、実施例１と基本的に同じものには同一符号を付して説明を省略する。
【００８８】
図１８〜図２３に示すように、ボタンロック装置４４Ａは、演出ボタン４２を進出位置にロック可能で且つ退入位置にロック可能に構成されたものであり、ロック装置ケース５５Ａに収容されている。ロック装置ケース５５Ａは、実施例１のロック装置ケース５５の代わりに設けられ、ベース部材２１に含まれるものである。
【００８９】
このボタンロック装置４４Ａは、実施例１と同様の１対の第１ロック部材６０、１対の第１バネ部材６１、１対の第１ロック連動機構６２、第１ロック解除駆動機構６３を備えるとともに、退入位置の演出ボタン４２に係合して演出ボタン４２をロックするロック位置（図２１、図２２参照）とロック解除位置（図２０参照）とに亙って回動自在にベース部材４１に支持された１対の第２ロック部材６０Ａと、１対の第２ロック部材６０Ａをロック位置に付勢する１対の第２バネ部材６１Ａと、演出ボタン４２が進出位置から退入位置へ移動する際（図２３参照）に、演出ボタン４２から押し力を受けて１対の第２ロック部材６０Ａをロック位置からロック解除位置へ回動させる１対の第２ロック連動機構６２Ａと、１対の第２ロック部材６０Ａをロック位置からロック解除位置へ回動駆動可能な第２ロック解除駆動機構６３Ａとを備えている。
【００９０】
１対の第２ロック部材６０Ａ及び第２バネ部材６１Ａ及び第２ロック連動機構６２Ａは、演出ボタン４２の１対の脚部４２ｆに夫々対応するように、演出ボタン４２の中心に対して左右対称に設けられている。次に、各第２ロック部材６０Ａ及び第２バネ部材６１Ａ及び第２ロック連動機構６２Ａについて詳しく説明する。
【００９１】
第２ロック部材６０Ａは、その長さ方向略中央部が、演出ボタン４２の脚部４２ｆよりも前方に位置する左右に向く軸６０Ａａを介して、ロック装置ケース５５Ａの軸支部５５Ａａに枢支されている。尚、第２ロック部材６０Ａがロック位置とロック解除位置間の回動範囲以上の回動を規制する回動規制部（図示略）が軸支部５５Ａａに設けられているものとする。第２ロック部材６０Ａは、第１ロック部材６０を上下逆さまにした形状で、フック部６０Ａｂ、テーパ部６０Ａｃを有する。
【００９２】
第２ロック部材６０Ａがロック位置のとき、そのフック部６０Ａｂが退入位置の演出ボタン４２の脚部４２ｆに形成された係合部４２Ａｈに上側から係合する。ここで、係合部４２Ａｈは、実施例１の係合部４２Ａｈを含む構造であり、脚部４２ｆの下端部に、その本体部分から演出ボタン４２の中心側へ突出するように一体形成されるとともに、この係合部４２Ａｈを含む部分が下方開及び上方開の１対の二股状に形成され、第２ロック部材６０Ａが係合部４２Ａｈから不要に係合解除するのを防止する。第２バネ部材６１Ａは、引っ張りコイルバネからなり、その両端部が、第２ロック部材６０Ａの下端部と、その前方に位置するロック装置ケース５５Ａのバネ連結部５５Ａｂに連結されている。
【００９３】
第２ロック連動機構６２Ａは、係合部４２Ａｈと、係合部４２Ａｈに下側から当接可能に第２ロック部材６０Ａに設けられ且つ演出ボタン４２が進出位置から退入位置へ移動する際に係合部４２Ａｈから押し力を受けるテーパ部６０Ａｃとを有する。
【００９４】
第２ロック解除駆動機構６３Ａが非作動状態のとき、演出ボタン４２が進出位置側から退入位置へ移動する際、係合部４２Ａｈがテーパ部６０Ａｃに係合して、第２ロック部材６０Ａをロック位置側から第２バネ部材６１Ａの付勢力に抗してロック解除位置へ回動させ、演出ボタン４２が退入位置に到達すると、係合部４２Ａｈがテーパ部６０Ａｃから係合解除して、第２ロック部材６０Ａが第２バネ部材６１Ａの付勢力によりロック解除位置からロック位置へ回動して、係合部４２Ａｈに係合するように構成されている。
【００９５】
次に、第２ロック解除駆動機構６３Ａについて詳しく説明する。
第２ロック解除駆動機構６３Ａは、１対の第２ロック部材６０Ａを回動駆動する共通の１つの第２ロックＳＯＬ６３Ａａと、第２ロックＳＯＬ６３Ａａを１対の第２ロック部材６０Ａに連動連結する第２連結部材６３Ａｂとを有する。
【００９６】
第２連結部材６３Ａｂは、平面視にて後方開のコ字状に形成され、その左右両後端部が１対の第２ロック部材６０Ａの下端部に、夫々、連結ピン６３Ａｃと連結長孔６３Ａｄとを介して、回動自在に且つ第２ロック部材６０Ａの長さ方向へ相対的に移動自在に連結されている。第２ロックＳＯＬ６３Ａａは、第２連結部材６３Ａｂの前側に後向きに配置されて、ロック装置ケース５５ＡのＳＯＬ取付部５５Ａｃに取付けられ、そのプランジャ６３Ａａ１の後端部が第２連結部材６３Ａｂに連結されている。
【００９７】
第２ロックＳＯＬ６３Ａａがオンされると、プランジャ６３Ａａ１が進出駆動され、第２ロック解除駆動機構６３Ａが作動状態になり、第２ロックＳＯＬ６３Ａａがオフされると、プランジャ６３Ａａ１が進退自在になり、第２ロック解除駆動機構６３Ａが非作動状態になる。尚、１対の第２バネ部材６１Ａの代わりに、第２連結部材６３Ａｂを前方へ付勢する共通の１つのバネを設けてもよい。この場合、第２ロックＳＯＬ６３Ａａに、プランジャ６３Ａａ１を退入側へ付勢するように組付けられたバネを採用してもよい。
【００９８】
図２４に示すように、演出制御基板２７は、遊技制御基板２２及び画像制御基板２８からの制御情報に基づいて、更に、操作ボタン装置４０のＳＷ４３，４７，４８ａ〜４８ｄからの検出信号に基づいて、各種処理を実行するとともに、第１，第２ロックＳＯＬ６３ａ，６３Ａａを制御することで、演出ボタンロック制御を実行する。
【００９９】
図２５に示すように、演出制御基板２７が実行する演出ボタンロック制御では、先ず、演出ボタン４２を進出位置にロックするか否か判定され（Ｓ１１）、Ｓ１１；Noの場合、演出ボタン４２を退入位置にロックするか否か判定される（Ｓ１２）。Ｓ１２；Noの場合、即ち、演出ボタン４２を進出位置にも退入位置にもロックしない場合、第１，第２ロックＳＯＬ６３ａ，６３Ａａが共にオンされ（Ｓ１３）、第１，第２ロック解除駆動機構６３，６３Ａが共に作動状態となる。Ｓ１１；Yes の場合、進出位置ロック制御（Ｓ１５）が実行され、Ｓ１２；Yes の場合、退入位置ロック制御（Ｓ１６）が実行される。
【０１００】
図２６に示すように、進出位置ロック制御では、演出ボタン４２が退入位置か否か（即ち、演出ボタンＳＷ４３がオンか否か）判定される（Ｓ３１）。Ｓ３１；Yes の場合、演出ボタン４２を進出位置にロック可能に、第１ロックＳＯＬ６３ａがオフされ、また、演出ボタン４２が退入位置にロックされないように、第２ロックＳＯＬ６３Ａａがオンされる（Ｓ３３）。Ｓ３１；Noの場合、演出ボタン４２が退入位置にロックされることがなくなり、第１，第２ロックＳＯＬ６３ａ，６３Ａａが共にオフされる（Ｓ３２）。
【０１０１】
図２７に示すように、退入位置ロック制御では、進出位置ロック制御と同様、演出ボタン４２が退入位置か否か（即ち、演出ボタンＳＷ４３がオンか否か）判定される（Ｓ３６）。Ｓ３６；Noの場合、演出ボタン４２が進出位置にロックされないように、第１ロックＳＯＬ６３ａがオンされ、また、演出ボタン４２を退入位置にロック可能に、第２ロックＳＯＬ６３Ａａがオフされる（Ｓ３８）。Ｓ３６；Yes の場合、演出ボタン４２が進出位置にロックされることがなくなり、第１，第２ロックＳＯＬ６３ａ，６３Ａａが共にオフされる（Ｓ３７）。
【０１０２】
Ｓ１３、Ｓ１５、Ｓ１６において、第１ロックＳＯＬ６３ａのオン／オフの切換えを行う場合、その切換えは、演出ボタン４２の位置に関わらず直ちに実行され、同様に、第２ロックＳＯＬ６３Ａａのオン／オフの切換えを行う場合、その切換えは、演出ボタン４２の位置に関わらず直ちに実行される。第１ロック部材６０に関する作用は実施例１と同様であるので説明を省略し、第２ロック部材６０Ａに関する作用について説明する。
【０１０３】
演出ボタン４２が退入位置のときに、第２ロックＳＯＬ６３Ａａがオンからオフに切換えられると、第２ロック部材６０Ａがロック位置に切換わって係合部４２Ａｈに係合し、演出ボタン４２が退入位置に瞬時に確実にロックされる。演出ボタン４２が退入位置以外の位置のときに、第２ロックＳＯＬ６３Ａａがオンからオフに切換えられると、第２ロック部材６０Ａがロック位置側へ切換わるが、その後、演出ボタン４２が退入位置へ移動する際、第２ロック部材６０Ａが一旦ロック解除位置に切換わり、演出ボタン４２が退入位置に到達すると、第２ロック部材６０Ａがロック位置に切換わって係合部４２Ａｈに係合し、演出ボタン４２が退入位置に瞬時に確実にロックされる。
【０１０４】
また、演出ボタン４２が退入位置のときに、第２ロック部材６０Ａがロック位置で係合部４２Ａｈに係合している状態から、第２ロックＳＯＬ６３Ａａがオフからオンに切換えられると、第２ロック部材６０Ａがロック解除位置に切換わって係合部４２Ａｈから係合解除し、演出ボタン４２が退入位置からに瞬時に確実にロック解除される。
【０１０５】
ここで、演出ボタン４２の操作が有効となるボタン操作有効期間が、全体の遊技時間に対してかなり短いものとして、通常は、第１，第２ロックＳＯＬ６３ａ，６３Ａａをオフにして、演出ボタン４２を進出位置又は退入位置にロックする方が有利である。何故なら、第１，第２ロックＳＯＬ６３ａ，６３Ａａをオンにすると、演出ボタン４２を操作可能になるが、そうしないことで、不要な電力を使わずに節電し、また、演出ボタン４２の不要な操作も防止し、不要操作が繰返されることによる損傷を防止することができる。
【０１０６】
以上説明したように、１対の第２ロック部材６０Ａ、１対の第２バネ部材６１Ａ、１対の第２ロック連動機構６２Ａ、第２ロック解除駆動機構６３Ａを備えたボタンロック装置４４Ａにより、演出ボタン４２を進出位置だけでなく、退入位置に瞬時に確実にロックすることができ、退入位置から瞬時に確実にロック解除することができる。
【０１０７】
操作ボタン４２に対して対称に設けられた１対の第２ロック部材６０Ａにより、演出ボタン４２を退入位置に安定的にロックすることができ、第２ロック解除駆動機構６３Ａが、１対の第２ロック部材６０Ａに連動連結され、１対の第２ロック部材６０Ａを回動駆動する共通の１つの第２ロックＳＯＬ６３Ａａを有するので、１対の第２ロック部材６０Ａをロック位置からロック解除位置へ確実に回動させ、演出ボタン４２の退入位置におけるロック・ロック解除を円滑に行うことができ、しかも、第２ロック解除駆動機構６３Ａの製作コストを低減することができる。
【０１０８】
演出ボタン４２が退入位置のときに、ロック位置の１対の第２ロック部材６０Ａを、演出ボタン４２に設けられた１対の係合部４２Ａｈに確実に係合させることができ、この１対の係合部４２Ａｈと第２ロック部材６０Ａの１対のテーパ部６０Ａｃにより、１対の第２ロック連動機構６２Ａを構成し、その機能を確実に発揮させることができる。
【０１０９】
また、第１，第２ロック部材６０，６０Ａの両方が同じ係合部４２Ａｈに係合可能にしたことで、即ち、係合部４２Ａｈを第１，第２ロック部材６０，６０Ａに対して共通化したので、構造を簡単化することができ、また、第１，第２ロック部材６０，６０Ａを接近させ、この場合、第１，第２ロック部材６０，６０Ａを相互干渉しないように配置できたため、機能を損なうことなく全体的にコンパクトに構成することが可能になる。その他、実施例１と同様の作用効果を奏する。
【０１１０】
尚、このボタンロック装置４４Ａにおいて、１対の第１ロック部材６０、１対の第１バネ部材６１、１対の第１ロック連動機構６２、第１ロック解除駆動機構６３を省略してもよい。即ち、ボタンロック装置４４Ａを、演出ボタン４２を退入位置にのみロック可能に構成してもよい。
【０１１１】
この場合、演出制御基板２７が実行する演出ボタンロック制御は、図２８に示すようになる。即ち、先ず、演出ボタン４２を退入位置にロックするか否か判定される（Ｓ４１）。Ｓ４１；Noの場合、第２ロックＳＯＬ６３Ａａがオンされ（Ｓ４２）、第２ロック解除駆動機構６３Ａが作動状態となり、Ｓ４１；Yes の場合、第２ロックＳＯＬ６３Ａａがオフされ（Ｓ４３）、第２ロック解除駆動機構６３Ａが作動状態となる。Ｓ４２、Ｓ４３において、第２ロックＳＯＬ６３Ａａのオン／オフの切換を行う場合、その切換えは、演出ボタン４２の位置に関わらず直ちに実行される。
【０１１２】
尚、実施例１，２において、第１ロック部材６０，第１バネ部材６１、第１ロック連動機構６２については、１組だけ或いは３組以上設けてもよい。また、第１ロック部材６０を演出ボタン４２の係合部４２ｈ，４２Ａｈ以外の部位に係合可能にしてもよい。また、実施例２において、第２ロック部材６０Ａ，第２バネ部材６１Ａ、第２ロック連動機構６２Ａについては、１組だけ或いは３組以上設けてもよい。また、第２ロック部材６０Ａを演出ボタン４２の係合部４２Ａｈ以外の部位に係合可能にしてもよい。
【実施例３】
【０１１３】
実施例３の操作ボタン装置４０Ｂは、実施例１の操作ボタン装置４０の主にボタンロック装置４４を変更したものである。尚、実施例１と基本的に同じものには同一符号を付して説明を省略する。
【０１１４】
図２９〜図３２に示すように、ボタンロック装置４４Ｂは、演出ボタン４２を進出位置にロック可能に構成されたものであり、ロック装置ケース５５Ｂに収容されている。ロック装置ケース５５Ｂは、実施例１のロック装置ケース５５の代わりに設けられている。
【０１１５】
このボタンロック装置４４Ｂは、進出位置の操作ボタン４２に当接して操作ボタン４２をロックするロック位置（図３２参照）とロック解除位置（図３１参照）とに亙って回動可能に設けられた１対のカム部材７０と、１対のカム部材７０をロック位置とロック解除位置とに亙って回動駆動する回動駆動機構７５とを備えている。
【０１１６】
１対のカム部材７０は、演出ボタン４２の１対の脚部４２ｆに夫々対応するように、演出ボタン４２の中心に対して左右対称に、且つ対応する脚部４２ｆよりも演出ボタン４２の中心側に配設され、左右に延びる連結軸７１を介して一体的に連結され、この連結軸７１回りに回動する。連結軸７１はロック装置ケース５５に回動自在に支持されている。１対のカム部材７０がロック位置のときに、進出位置の演出ボタン４２の１対の脚部４２ｆに形成された係合部４２ｈに下側から係合し、１対のカム部材７０がロック解除位置のときには、係合部４２ｈと干渉しない姿勢になる。
【０１１７】
回動駆動機構７５は、連結軸７１の後側に前向きに配置された電動モータ７６と、電動モータ７６の出力軸７６ａに外嵌固着された駆動傘歯車７７と、連結軸７１に外嵌固着され且つ駆動傘歯車７７に噛合する従動傘歯車７８とを有する。即ち、電動モータ７６は、１対のカム部材７０を回動駆動する共通の１つのアクチュエータとなる。１対のカム部材７０、回動駆動機構７５を備えたボタンロック装置４４Ｂにより、演出ボタン４２を進出位置に確実にロックすることができ、進出位置から確実にロック解除することができる。
【０１１８】
尚、１対のカム部材７０と回動駆動機構７５と共に、或いは、１対のカム部材７０と回動駆動機構７５を省略して、退入位置の操作ボタン４２に当接して操作ボタン４２をロックするロック位置とロック解除位置とに亙って回動可能に設けられた１対の第２のカム部材と、１対の第２のカム部材をロック位置とロック解除位置とに亙って回動駆動する第２の回動駆動機構とを備え、演出ボタン４２を退入位置にロック可能に構成してもよい。
【実施例４】
【０１１９】
実施例４の操作ボタン装置４０Ｃは、実施例１の操作ボタン装置４０の主にボタンロック装置４４を変更したものである。尚、実施例１と基本的に同じものには同一符号を付して説明を省略する。
【０１２０】
図３３、図３４に示すように、ボタンロック装置４４Ｃは、演出ボタン４２を進出位置にロック可能に構成されたものであり、進出位置の操作ボタン４２とベース部材４１との間に挿入されて操作ボタン４２をロックするロック位置（図３４参照）とロック解除位置）図３３参照）とに亙って移動可能に設けられた１対の楔部材８０と、１対の楔部材８０をロック位置とロック解除位置とに亙って移動駆動する移動駆動機構８５を備えている。
【０１２１】
１対の楔部材８０は、演出ボタン４２の１対の脚部４２ｆに夫々対応するように、演出ボタン４２の中心に対して左右対称に、且つ対応する脚部４２ｆよりも演出ボタン４２の中心側に配設され、それらの後端部が左右に延びる連結部材８１を介して一体的に連結されている。１対の楔部材８０は、その下面がベース部材４１のガイド上面８２に摺動自在に載置支持され、前後に移動する。
【０１２２】
移動駆動機構８５は、連結部材８１を介して１対の楔部材８０を前後に移動駆動する共通の１つのアクチュエータ（例えば、ソレノイド）を有する。１対の楔部材８０、移動駆動機構８５を備えたボタンロック装置４４Ｃにより、演出ボタン４２を進出位置に確実にロックすることができ、進出位置から確実にロック解除することができる。
【０１２３】
尚、１対の楔部材８０と移動駆動機構８５と共に、或いは、１対の楔部材８０と移動駆動機構８５を省略して、退入位置の操作ボタン４２とベース部材４１との間に挿入されて操作ボタン４２をロックするロック位置とロック解除位置とに亙って移動可能に設けられた１対の第２の楔部材と、１対の第２の楔部材をロック位置とロック解除位置とに亙って移動駆動する第２の移動駆動機構とを備え、演出ボタン４２を退入位置にロック可能に構成してもよい。
【実施例５】
【０１２４】
実施例５は実施例２の構成に採用されるものである。
図３５に示すように、メイン制御装置２１（遊技制御基板２２）により、乱数取得手段２１ａ、乱数判定手段２１ｂ、遊技状態制御手段２１ｃが構成され、サブ制御装置２５（演出制御基板２７、画像制御基板２８、ランプ制御基板２９）により、ボタンロック制御手段２５ｂを含む演出制御手段２５ａが構成されている。
【０１２５】
乱数取得手段２１ａは、始動入賞口１１ａ，１１ｂへの遊技球の入賞を契機に乱数値（大当り乱数値、大当り図柄乱数値、リーチ乱数値）を取得し、乱数判定手段２１ｂは、乱数取得手段２１ａで取得された乱数値に基づいて特別図柄の種類を判定（選択）し、判定された種類の特別図柄が特別図柄表示器１９ａ，１９ｂに図柄変動後に停止表示される。
【０１２６】
乱数判定手段２１ｂによる具体的な処理では、先ず、取得された大当り乱数値が所定の低確率（例えば、１／３００）又は高確率（例えば、１／３０）で大当り特定値と一致した場合、次に、大当り図柄乱数値に基づいて、図３７に示す確変図柄Ａ，Ｂ、通常図柄、突確図柄Ａ，Ｂ、突時図柄の６種類の大当り図柄の何れか１つが所定の選択率で択一的に選択される。一方、大当り乱数値が大当り特定値と一致しない場合、大当り乱数値が小当り特定値と一致した場合には、図３８に示す小当り図柄が選択され、大当り乱数値が小当り特定値と一致しない場合には、ハズレ図柄が選択される。
【０１２７】
図３６に示すように、パチンコ遊技機１の遊技状態として、通常遊技状態、確変遊技状態、潜確遊技状態、時短遊技状態、大当り遊技状態の５種類の遊技状態が存在し、この５種類の遊技状態の何れか１つが択一的に切換え可能に設定される。大当り遊技状態、確変遊技状態、潜確遊技状態が、通常遊技状態よりも遊技者に有利な特定遊技状態に相当する。尚、時短遊技状態も通常遊技状態よりも遊技者に有利な遊技状態である。
【０１２８】
遊技状態制御手段２１ｃは、大当り遊技状態以外の遊技状態において、大当り図柄（確変図柄Ａ，Ｂ、通常図柄、突確図柄Ａ，Ｂ、突時図柄）が停止表示された場合、大当り遊技状態へ移行させる。ここで、図３７に示すように、例えば、確変図柄Ａ，Ｂと通常図柄の場合、大入賞口１３ａが９Ｒ長開放を行い、各ラウンドの大入賞口１３ａの最大開放時間が約３０秒となるため、大量の出球を獲得することができ、突確図柄Ａ，Ｂと突時図柄の場合、大入賞口１３ａが９Ｒ短開放を行い、各ラウンドの大入賞口１３ａの最大開放時間が約０．２秒となるため、出球を実質獲得することができない。
【０１２９】
また、図３７に示すように、遊技状態制御手段２１ｃは、確変図柄Ａ，Ｂ、突確図柄Ａの成立に基づく大当り遊技状態の終了後に確変遊技状態へ移行させ、突確図柄Ｂの成立に基づく大当り遊技状態の終了後に潜確遊技状態へ移行させ、通常変図柄、突時図柄の成立に基づく大当り遊技状態の終了後に時短遊技状態へ移行させる。
【０１３０】
更に、遊技状態制御手段２１ｃは、確変図柄Ａ、突確図柄Ａの成立に基づく確変遊技状態と、突確図柄Ｂの成立に基づく潜確遊技状態を、実質的に次回の大当り遊技状態が発生するまで継続させ、確変図柄Ｂの成立に基づく確変遊技状態を、最大で特別図柄の図柄変動が設定回数（例えば、４０回）行われるまで継続させ、その後、潜確遊技状態に移行させ、通常図柄、突時図柄の成立に基づく時短遊技状態を、最大で特別図柄の図柄変動が設定回数（例えば、４０回）行われるまで継続させ、その後、通常遊技状態に移行させる。
【０１３１】
通常遊技状態、時短遊技状態では、大当り遊技状態を発生させる大当り抽選の当選確率が低確率（例えば、１／３００）になり、時短遊技状態では、通常遊技状態に比べて、開閉式の第２始動入賞口１１ｂの開放頻度が高く開放時間が長くなる。確変遊技状態、潜確遊技状態では、通常遊技状態と比べて、大当り遊技状態を発生させる大当り抽選の当選確率が高確率（例えば、１／３０）になり、更に、確変遊技状態では、通常遊技状態に比べて、開閉式の第２始動入賞口１１ｂの開放頻度が高く開放時間が長くなる。
【０１３２】
このように、遊技状態制御手段２１ｃは、大当り遊技状態、確変遊技状態、潜確遊技状態、時短遊技状態を所定の抽選により発生させ、その所定の抽選が、乱数取得手段２１ａと乱数判定手段２１ｂにより行われ、大当り抽選、確変抽選、潜確抽選を含むものとなる。そして、大当り図柄（確変図柄Ａ，Ｂ、通常図柄、突確図柄Ａ，Ｂ、突時図柄の何れか１つ）が選択表示されることで、大当り遊技状態を発生させる大当り抽選で当選したことになり、確変図柄Ａ，Ｂ、突確図柄Ａの何れか１つが選択表示されることで確変遊技状態を発生させる確変抽選で当選したことになり、突確図柄Ｂが選択表示されることで、潜確遊技状態を発生させ潜確抽選で当選したことになる。
【０１３３】
尚、図３８に示すように、大当り遊技状態以外の遊技状態において、小当り図柄が停止表示された場合、突確図柄Ａ，Ｂ、突時図柄の成立に基づく大当り遊技状態と同様に、大入賞口１３ａが９Ｒ短開放を行う小当り遊技が発生し、小当り遊技後の遊技状態は、小当り遊技前の遊技状態と同じになる。故に、遊技者は、突確図柄Ｂの成立に基づく大当り遊技状態と小当り遊技の見分けが一見つかなくなる。
【０１３４】
ここで、通常遊技状態と潜確遊技状態とでは、また、時短遊技状態と確変遊技状態とでは、夫々、大当り抽選の当選確率だけが異なるものとなり、大当り遊技状態終了後、小当り遊技後、遊技者が遊技状態を特定することが難しいが、遊技者により有利な遊技状態になっていることを期待する。
【０１３５】
演出制御手段２５ａ、ボタンロック制御手段２５ｂについて説明する。
演出制御手段２５ａは、遊技演出を実行する為の画像表示器１６を含む演出手段３９を制御して、予め設定され演出ボタン４２の操作が有効となるボタン操作有効期間にその旨を演出手段３９に報知させ、演出ボタン４２が進出位置から退入位置に操作された場合に遊技演出を切換える。
【０１３６】
ボタンロック制御手段２５ｂは、第１のボタンロック制御において、ボタン操作有効期間中に演出ボタン４２を進出位置と退入位置の一方にロックさせた状態とロック解除させた状態の何れかの状態に択一的に保持するとともに、前記何れかの状態を大当り抽選、確変抽選、潜確抽選の何れかの結果に基づいて決定し、その状態によって大当り抽選、確変抽選、潜確抽選の何れかで当選している信頼度が異なるように構成されている。
【０１３７】
ボタンロック制御手段２５ｂは、第２のボタンロック制御において、ボタン操作有効期間中に演出ボタン４２をロック解除させた状態で設定時間Ｔ経過したときに進出位置と退入位置の一方にロックさせるとともに、前記設定時間Ｔを大当り抽選、確変抽選、潜確抽選の何れかの結果に基づいて決定し、その設定時間Ｔによって大当り抽選、確変抽選、潜確抽選の何れかで当選している信頼度が異なるように構成されている。
【０１３８】
ボタンロック制御手段２５ｂは、第３のボタンロック制御において、ボタン操作有効期間中に演出ボタン４２をロック解除させた状態で演出ボタン４２が退入位置に設定回数Ｎ操作されたときに進出位置と退入位置の一方にロックさせるとともに、前記設定回数Ｎを大当り抽選、確変抽選、潜確抽選の何れかの結果に基づいて決定し、その設定回数Ｎによって大当り抽選、確変抽選、潜確抽選の何れかで当選している信頼度が異なるように構成されている。
【０１３９】
ボタンロック制御手段２５ｂは、第４のボタンロック制御において、ボタン操作有効期間中に演出ボタン４２を退入位置にロックさせた状態に保持する、或いは、演出ボタン４２を退入位置にロックさせた状態からロック解除させるとともに、演出ボタン４２のロック解除有無を大当り抽選、確変抽選、潜確抽選の何れかの結果に基づいて決定し、その演出ボタン４２のロック解除有無によって大当り抽選、確変抽選、潜確抽選の何れかで当選している信頼度が異なるように構成されている。
【０１４０】
ボタンロック制御手段２５ｂは、第５のボタンロック制御において、大当り抽選、確変抽選、潜確抽選の結果に関わらず、ボタン操作有効期間中に演出ボタン４２をロック解除させた状態に保持する。
【０１４１】
また、ボタンロック制御手段２５ｂは、第１〜第３のボタンロック制御において、ボタン操作有効期間中に演出ボタン４２を進出位置と退入位置の何れかの位置にロックさせる場合、前記何れかの位置を大当り抽選、確変抽選、潜確抽選の何れかの結果に基づいて決定し、その位置によって大当り抽選、確変抽選、潜確抽選の何れかで当選している信頼度が更に異なるように構成されている。
【０１４２】
次に、ボタンロック制御手段２５ｂを含む演出制御手段２５ａの上記構成を達成するために、サブ制御装置２５（演出制御基板２７、画像制御基板２８）が実行する具体的な処理・制御について説明する。
【０１４３】
図３９に示すように、演出制御基板２７は微小時間毎にタイマ割込処理を実行し、このタイマ割込処理において、コマンド受信処理（Ｓ１２１）、演出ボタン処理（Ｓ１２２）、コマンド送信処理（Ｓ１２３）を順次実行する。Ｓ１２１では、遊技制御基板２２（画像制御基板２８）からのコマンドを受信し、Ｓ１２３では、後述のステップでセットしたコマンドを画像制御基板２８（ランプ制御基板２９）へ送信する。
【０１４４】
図４０に示すように、Ｓ１２１のコマンド受信処理では、保留数増加コマンドを受信した場合（Ｓ１３１；Yes ）、保留数加算処理（Ｓ１３２）を実行し、保留数コマンドをセットする（Ｓ１３３）。変動開始コマンドを受信した場合（Ｓ１３４；Yes ）、変動演出選択処理（Ｓ１３５）を実行する。変動停止コマンドを受信した場合（Ｓ１３６；Yes ）、変動演出終了中処理（Ｓ１３７）を実行する。オープニングコマンドを受信した場合（Ｓ１３８；Yes ）、当り演出選択処理（Ｓ１３９）を実行する。エンディングコマンドを受信した場合（Ｓ１４０；Yes ）、エンディング演出選択処理（Ｓ１４１）を実行する。最後に、客待ちコマンド受信処理（Ｓ１４２）を実行し、リターンする。
【０１４５】
図４１に示すように、Ｓ１３５の変動演出選択処理では、遊技制御基板２２から受信した変動開始コマンドを解析し（Ｓ１５１）、モードフラグＭＦ（図４５の５種類のＡ〜Ｅモードのうち現在のモードに対応するモードフラグ０〜４の何れか１つ）を参照し（Ｓ１５２）、保留数減算処理（Ｓ１５３）を実行する。ここで、図４６に示すように、５種類のＡ〜Ｅモードに夫々対応する５種類の演出選択テーブルＡ〜Ｅが記憶されている。
【０１４６】
そして、変動演出パターン選択処理（Ｓ１５４）では、Ｓ１５２で参照したモードフラグＭＦに対応する５種類の演出選択テーブルＡ〜Ｅの何れか１つを抽出し、その演出選択テーブルと、Ｓ１５１で解析した特別図柄の種類を含む情報に基づいて、複数種類の変動演出パターン１，２，３・・・の何れか１つを選択する。その後、Ｓ１５４で選択した変動演出パターンの情報を含む変動演出開始コマンドをセットし（Ｓ１５５）、リターンする。
【０１４７】
図４２に示すように、Ｓ１３７の変動演出終了中処理では、遊技制御基板２２から受信した変動停止コマンドを解析し（Ｓ１６１）、モードフラグＭＦを参照し（Ｓ１６２）、当りか否か判定する（Ｓ１６３）。当りの場合（Ｓ１６３；Yes ）、モードフラグ変更処理（Ｓ１６４）を実行し、図４５に示すように、当該当りの契機となった当り図柄に応じたモードフラグＭＦ（例えば、確変図柄Ａの場合は１（Ｂモード））を変更設定するとともに、遊技状態滞在カウンタＭＣに当り図柄に応じた値（例えば、確変図柄Ａの場合は１００００）をセットする。
【０１４８】
一方、当りでない場合（Ｓ１６３；No）、ＭＦが０か否か（Ａモードか否か）判定し（Ｓ１６５）、Ｓ１６５；Noの場合、ＭＣをＭＣ−１に減算し（Ｓ１６６）、次に、ＭＣが０になった場合（Ｓ１６７；Yes ）、ＭＦに０（Ａモード）を設定する（Ｓ１６８）。Ｓ１６４の後、Ｓ１６８の後、Ｓ１６５；Yes の場合、Ｓ１６７；Noの場合、次に、変動演出終了コマンドをセットし（Ｓ１６９）、リターンする。
【０１４９】
図４３に示すように、Ｓ１３９の当り演出選択処理では、遊技制御基板２２から受信したオープニングコマンドを解析し（Ｓ１７１）、モードフラグＭＦを参照し（Ｓ１７２）、当り演出パターン選択処理（Ｓ１７３）において、Ｓ１７２で参照したモードフラグＭＦに対応する図４６に示す５種類の演出選択テーブルＡ〜Ｅの何れか１つを抽出し、その演出選択テーブルと特別図柄の種類に基づいて、複数種類の当り演出パターン１，２，３・・・の何れか１つを選択する。その後、Ｓ１７３で選択した当り演出パターンの情報を含むオープニング演出開始コマンドをセットし（Ｓ１７４）、リターンする。
【０１５０】
図４４に示すように、Ｓ１４１のエンディング演出選択処理では、遊技制御基板２２から受信したエンディングコマンドを解析し（Ｓ１７６）、モードフラグＭＦを参照し（Ｓ１７７）、エンディング演出パターン選択処理（Ｓ１７８）において、Ｓ１７７で参照したモードフラグＭＦに対応する５種類の図４６に示す演出選択テーブルＡ〜Ｅの何れか１つを抽出し、その演出選択テーブルと特別図柄の種類に基づいて、複数種類のエンディング演出パターン１，２，３・・・の何れか１つを選択する。その後、Ｓ１７８で選択したエンディング演出パターンの情報を含むエンディング演出開始コマンドをセットし（Ｓ１７９）、リターンする。
【０１５１】
ここで、図４６に示すように、選択対象となる複数種類の変動演出パターン、複数種類の当り演出パターン、複数種類のエンディング演出パターンの中に、夫々、１又は複数種類の特定の変動演出パターン、１又は複数種類の特定の当り演出パターン、１又は複数種類の特定のエンディング演出パターンが存在し、各特定の演出パターンに、演出ボタン４２の操作が有効となるボタン操作有効期間が設定されている。
【０１５２】
そして、前記第１〜第５のボタンロック制御は、特定の演出パターンが選択された場合に実行され、特に、大当り抽選に関するボタンロック制御は、特定の変動演出パターンに対して実行され、確変抽選と潜確抽選に関するボタンロック制御は、特定の変動演出パターン又は当り演出パターン又はエンディング演出パターンに対して実行される。
【０１５３】
次に、図４７に示すように、Ｓ１２２の演出ボタン処理では、先ず、特定の演出パターン（特定の変動演出パターン又は当り演出パターン又はエンディング演出パターン）を実行か否か判定し（Ｓ１８１）、Ｓ１８１；Noの場合、リターンする。Ｓ１８１；Yes の場合、第１〜第５のボタンロック制御の何れも実行しない場合（Ｓ１８２〜１８６；No）、演出ボタン４２が操作されたか否か判定し（Ｓ１８７）、Ｓ１８７；Noの場合、リターンし、Ｓ１８７；Yes の場合、演出ボタンコマンドをセットし（Ｓ１８８）、リターンする。
【０１５４】
第１のボタンロック制御を実行する場合（Ｓ１８２；Yes ）、図４８に示すように、先ず、保持状態の選択を行ったか否か、つまり、次のＳ２０２の処理を当該特定の演出パターンの選択後に実行したか否か判定する（Ｓ２０１）。Ｓ２０１；Noの場合、保持状態選択処理（Ｓ２０２）を実行し、この処理では、図４９に示すように、大当り抽選、確変抽選、潜確抽選の各々において、当選の場合と非当選の場合とで、夫々、進出位置にロック状態に保持する、退入位置にロック状態に保持する、ロック解除状態に保持する、の何れか１つを図示の選択率にて択一的に選択決定する。
【０１５５】
Ｓ２０１；Yes の場合、又は、Ｓ２０２の後、ボタン操作有効期間か否か判定し（Ｓ２０３）、Ｓ２０３；Noの場合、リターンする。Ｓ２０３；Yes の場合、進出位置にロック状態に保持する場合（Ｓ２０４；Yes ）、ロックフラグＲＦに１をセットし（Ｓ２０５）、退入位置にロック状態に保持する場合（Ｓ２０４；No、Ｓ２０６；Yes ）、ＲＦに２をセットし（Ｓ２０７）、ロック解除状態に保持する場合（Ｓ２０４；No、Ｓ２０６；No）、ＲＦに０をセットし（Ｓ２０８）、夫々、Ｓ１８９へ移行する。
【０１５６】
Ｓ１８９のボタンロック制御は、図２５〜図２７を用いて前記した通りである。ここで、図２５のＳ１１，Ｓ１２の判定は、ロックフラグＲＦに基づいて行われ、ＲＦ＝０の場合、Ｓ１１；No→Ｓ１２；Noとなり、ＲＦ＝１の場合、Ｓ１１；Yes となり、ＲＦ＝２の場合、Ｓ１１；No→Ｓ１２；Yes となる。
【０１５７】
即ち、Ｓ１８９の演出ボタンロック制御により、演出ボタン４２が進出位置にロックされた状態で、ＲＦ＝１とすることで、演出ボタン４２はその状態まま維持され、ＲＦ＝２とすることで、演出ボタン４２は一旦ロック解除され退入位置に操作されると直ちにロックされ、ＲＦ＝０とすることで、演出ボタン４２はロック解除された状態になる。また、演出ボタン４２が退入位置にロックされた状態で、ＲＦ＝１とすることで、演出ボタン４２は一旦ロック解除され復帰バネ４９により進出位置に突出して直ちにロックされ、ＲＦ＝２とすることで、演出ボタン４２はその状態のまま維持され、ＲＦ＝０とすることで、演出ボタン４２はロック解除され進出位置に突出してロック解除された状態になる。
【０１５８】
第２のボタンロック制御を実行する場合（Ｓ１８３；Yes ）、図５０に示すように、先ず、設定時間・ロック解除位置の選択を行ったか否か、つまり、次のＳ２１２とＳ２１３の処理を当該特定の演出パターンの選択後に実行したか否か判定する（Ｓ２１１）。Ｓ２１１；Noの場合、設定時間選択処理（Ｓ２１２）を実行し、続いて、ロック位置選択処理（Ｓ２１３）を実行する。
【０１５９】
Ｓ２１２の設定時間選択処理では、図５１に示すように、大当り抽選、確変抽選、潜確抽選の各々において、当選の場合と非当選の場合とで、夫々、設定時間Ｔとして、図示の複数種類の時間の何れか１つを図示の選択率にて択一的に選択決定する。Ｓ２１３のロック位置選択処理では、図５２に示すように、大当り抽選、確変抽選、潜確抽選の各々において、当選の場合と非当選の場合とで、夫々、ロック位置として、進出位置と退入位置の何れかを図示の選択率にて択一的に選択決定する。
【０１６０】
Ｓ２１１；Yes の場合、又は、Ｓ２１３の後、ボタン操作有効期間か否か判定し（Ｓ２１４）、Ｓ２１４；Noの場合、リターンする。Ｓ２１４；Yes の場合、ボタン操作有効期間の開始時期か否か判定し（Ｓ２１５）、Ｓ２１５；Yes の場合、ロックフラグＲＦに０を設定する（Ｓ２１６）。Ｓ２１５；Noの場合、又は、Ｓ２１６の後、ボタンロック解除時間ｔを計時し（Ｓ２１７）、次に、そのボタンロック解除時間ｔがＳ２１２で選択した設定時間Ｔ以上になったか否か判定する（Ｓ２１８）。Ｓ２１８；Noの場合、リターンし、Ｓ２１８；Yes の場合、進出位置にロック状態に保持する場合（Ｓ２１９；Yes ）、ＲＦに１をセットし（Ｓ２２０）、退入位置にロック状態に保持する場合（Ｓ２１９；No）、ＲＦに２をセットし（Ｓ２２１）、夫々、Ｓ１８９へ移行する。
【０１６１】
Ｓ１８９の演出ボタンロック制御により、先ず、ＲＦ＝０とすることで、演出ボタン４２がロック解除された状態になり、このとき、退入位置の演出ボタン４２は復帰バネ４９により進出位置に突出する。次に、演出ボタン４２がロック解除された状態で設定時間Ｔ経過した場合、ＲＦ＝１とすることで、演出ボタン４２は進出位置にロックされ、ＲＦ＝２とすることで、演出ボタン４２が退入位置に操作されることでロックされる。
【０１６２】
第３のボタンロック制御を実行する場合（Ｓ１８４；Yes ）、図５３に示すように、先ず、設定回数・ロック解除位置の選択を行ったか否か、つまり、次のＳ２３２とＳ２３３の処理を当該特定の演出パターンの選択後に実行したか否か判定する（Ｓ２３１）。Ｓ２３１；Noの場合、設定回数選択処理（Ｓ２３２）を実行し、続いて、ロック位置選択処理（Ｓ２３３）を実行する。
【０１６３】
Ｓ２３２の設定回数選択処理では、図５４に示すように、大当り抽選、確変抽選、潜確抽選の各々において、当選の場合と非当選の場合とで、夫々、設定回数Ｎとして、図示の複数種類の回数の何れか１つを図示の選択率にて択一的に選択決定する。Ｓ２３３のロック位置選択処理では、第２のボタンロック制御の場合（図５２）と同様に、ロック位置として、進出位置と退入位置の何れかを択一的に選択決定する。
【０１６４】
Ｓ２３１；Yes の場合、又は、Ｓ２３３の後、ボタン操作有効期間か否か判定し（Ｓ２３４）、Ｓ２３４；Noの場合、リターンする。Ｓ２３４；Yes の場合、ボタン操作有効期間の開始時期か否か判定し（Ｓ２３５）、Ｓ２３５；Yes の場合、ロックフラグＲＦに０を設定する（Ｓ２３６）。Ｓ２３５；Noの場合、又は、Ｓ２３６の後、演出ボタン４２が操作されたか否か判定し（Ｓ２３７）、Ｓ２３７；Noの場合、リターンする。Ｓ２３７；Yes の場合、ボタン操作回数ｎをｎ＋１に加算し（Ｓ２３８）、そのボタン操作回数ｎがＳ２３２で選択した設定回数Ｎ以上になったか否か判定する（Ｓ２３９）。Ｓ２３９；Noの場合、リターンし、Ｓ２３９；Yes の場合、進出位置にロック状態に保持する場合（Ｓ２４０；Yes ）、ＲＦに１をセットし（Ｓ２４１）、退入位置にロック状態に保持する場合（Ｓ２４０；No）、ＲＦに２をセットし（Ｓ２４２）、夫々、Ｓ１８９へ移行する。
【０１６５】
Ｓ１８９の演出ボタンロック制御により、先ず、ＲＦ＝０とすることで、演出ボタン４２がロック解除された状態になり、このとき、退入位置の演出ボタン４２は復帰バネ４９により進出位置に突出する。次に、演出ボタン４２がロック解除された状態で、演出ボタン４２が設定回数Ｎ操作された場合、ＲＦ＝１とすることで、演出ボタン４２は進出位置にロックされ、ＲＦ＝２とすることで、演出ボタン４２が退入位置に操作されることでロックされる。
【０１６６】
第４のボタンロック制御を実行する場合（Ｓ１８５；Yes ）、図５５に示すように、先ず、演出ボタン４２が退入位置にロック状態に保持されているか否か判定し（Ｓ２５１）、Ｓ２５１；Noの場合、リターンする。Ｓ２５１；Yes の場合、ロック解除有無の選択を行ったか否か、つまり、次のＳ２５３の処理を当該特定の演出パターンの選択後に実行したか否か判定する（Ｓ２５２）。Ｓ２５２；Noの場合、ロック解除有無選択処理（Ｓ２５３）を実行し、この処理では、図５６に示すように、大当り抽選、確変抽選、潜確抽選の各々において、当選の場合と非当選の場合とで、夫々、ロック解除有とロック解除無の何れかを図示の選択率にて択一的に選択決定する。
【０１６７】
Ｓ２５２；Yes の場合、又は、Ｓ２５３の後、設定時間の選択を行ったか否か、つまり、次のＳ２５６の処理を当該特定の演出パターンの選択後に実行したか否か判定する（Ｓ２５５）。Ｓ２５５；Noの場合、設定時間選択処理（Ｓ２５６）を実行し、この処理では、第２のボタンロック制御の場合（図５１）と同様に、大当り抽選、確変抽選、潜確抽選の各々において、当選の場合と非当選の場合とで、夫々、設定時間Ｔとして、図示の複数種類の時間の何れか１つを図示の選択率にて択一的に選択決定する。
【０１６８】
Ｓ２５５；Yes の場合、又は、Ｓ２５６の後、ボタン操作有効期間か否か判定し（Ｓ２５７）、Ｓ２５７；Noの場合、リターンする。Ｓ２５７；Yes の場合、ボタンロック時間ｔを計時し（Ｓ２５８）、次に、そのボタンロック時間ｔがＳ２５６で選択した設定時間Ｔ以上になったか否か判定する（Ｓ２５９）。Ｓ２５９；Noの場合、リターンし、Ｓ２５９；Yes の場合、進出位置にロック状態に保持する場合（Ｓ２６０；Yes ）、ＲＦに１をセットし（Ｓ２６１）、退入位置にロック状態に保持する場合（Ｓ２６０；No）、ＲＦに２をセットし（Ｓ２６２）、夫々、Ｓ１８９へ移行する。
【０１６９】
Ｓ１８９の演出ボタンロック制御により、演出ボタン４２が退入位置にロックされた状態で設定時間Ｔ経過した場合、ロック解除されて復帰バネ４９により進出位置へ突出し、ＲＦ＝１とすることで、演出ボタン４２は進出位置にロックされ、ＲＦ＝２とすることで、演出ボタン４２が退入位置に操作されることでロックされる。
【０１７０】
第５のボタンロック制御を実行する場合（Ｓ１８６；Yes ）、図５７に示すように、ボタンロックフラグＲＦに０をセットし（Ｓ２７１）、リターンする。つまり、Ｓ１８９の演出ボタンロック制御により、演出ボタン４２がロック解除され状態に保持される。
【０１７１】
図５８に示すように、画像制御基板２８が実行する画像制御処理では、保留数コマンドを受信した場合（Ｓ２８１；Yes ）、Ｓ２８２の処理において、画像表示器１６に保留数を変更表示させる。また、変動演出開始コマンドを受信した場合（Ｓ２８３；Yes ）、Ｓ２８４の処理において、そのコマンドに応じた変動演出パターンを表示させ、変動演出終了コマンドを受信した場合（Ｓ２８５；Yes ）、Ｓ２８６の処理において、変動演出パターンの表示を終了させる。また、オープニング演出開始コマンドを受信した場合（Ｓ２８７；Yes ）、Ｓ２８８の処理において、そのコマンドに応じた当り演出パターンを表示させ、エンディング演出開始コマンドを受信した場合（Ｓ２８９；Yes ）、Ｓ２９０の処理において、そのコマンドに応じたエンディング演出パターンを表示させる。
【０１７２】
次に、図５９に示すように、特定の演出パターン（特定の変動演出パターン又は当り演出パターン又はエンディング演出パターン）が実行中か否か判定し（Ｓ２９１）、Ｓ２９１；Yes の場合、ボタン操作有効期間か否か判定し（Ｓ２９２）、Ｓ２９２；Yes の場合、画像表示器１６でボタン操作有効期間である旨（例えば、演出ボタン４２の操作指示）を報知させる（Ｓ２９３）。次に、演出ボタンコマンドを受信したか否か判定する（Ｓ２９４）。Ｓ２９１；No又はＳ２９２；No又はＳ２９４；Noの場合、リターンする。Ｓ２９４；Yes の場合、Ｓ２９５の処理において、実行中の特定の演出パターンを部分的に切換え表示させ、例えば、大当り抽選、確変抽選、潜確抽選で当選している期待度が画像表示器１６に表示される。
【０１７３】
次に、以上説明した構成の具体的用途例について幾つか説明する。
（１）特別図柄の図柄変動開始時に、画像表示器１６にミッションモード演出を表示させるとともに、演出ボタン４２の操作指示を表示させる。そこで、遊技者が演出ボタン４２を押すことができた場合、大当り抽選での当選信頼度が１００％になる。
（２）特別図柄の図柄変動中の所謂リーチ状態で、画像表示器１６に演出ボタン４２の操作指示を表示させる。そこで、遊技者が演出ボタン４２を押すことができた場合、大当り抽選での当選信頼度が１００％になる。
（３）大当り遊技状態の所定ラウンドで、画像表示器１６に確変昇格チャンス演出を表示させるとともに、演出ボタン４２の操作指示を表示させる。そこで、遊技者が演出ボタン４２を押すことができた場合、確変抽選での当選信頼度が１００％になる。
【０１７４】
（４）特別図柄の図柄変動中の所謂リーチ状態で、画像表示器１６に演出ボタン４２の連続操作指示（連打指示）を表示させる。そこで、遊技者が演出ボタン４２を連打してゲージがＭＡＸになった場合、大当り抽選での当選信頼度が１００％になる。
（５）大当り遊技状態の所定ラウンドで、画像表示器１６に確変昇格チャンス演出を表示させるとともに、演出ボタン４２の連続操作指示（連打指示）を表示させる。そこで、遊技者が演出ボタン４２を連打してゲージがＭＡＸになった場合、確変抽選での当選信頼度が１００％になる。
【０１７５】
（６）特別図柄の図柄変動中の所謂リーチ状態で、画像表示器１６に演出ボタン４２の上に手を置く指示を表示させる。そこで、演出ボタン４２が突出した場合、手に当たり、大当り抽選での当選信頼度が１００％になる。
（７）大当り遊技状態の所定ラウンドで、画像表示器１６に確変昇格チャンス演出を表示させるとともに、演出ボタン４２の上に手を置く指示を表示させる。そこで、演出ボタン４２が突出した場合、手に当たり、確変抽選での当選信頼度が１００％になる。
【０１７６】
（８）突確図柄の成立による大当り遊技状態中と小当り遊技中に、画像表示器１６に高確信頼度演出を表示させるとともに、演出ボタン４２の連続操作指示（連打指示）を表示させる。そこで、遊技者が演出ボタン４２を連打してゲージがＭＡＸに近づく程、確変遊技状態、潜確遊技状態になる信頼度が高くなる。
（９）突確図柄Ｂの成立による大当り遊技状態後の設定期間における遊技演出と、小当り図柄の成立による小当り遊技後の設定期間における遊技演出とを共通の遊技演出とし、この共通の遊技演出中に演出ボタン４２の操作指示を表示させる。そこで、遊技者が演出ボタン４２を押すことができた場合、潜確抽選での当選信頼度が１００％になる。
【０１７７】
尚、演出制御手段２５ａは、大当り遊技状態中に画像表示器１６に演出ボタン４２の操作を介して遊技する所定ゲームを実行させ、ボタンロック制御手段２５ｂは、所定ゲームに応じて演出ボタン４２をロックさせたりロック解除させたりしてもよい。
【０１７８】
この場合、例えば、所定ゲームとしてモグラたたきを行い、モグラが出現した場合にのみ、演出ボタン４２を操作できるようにする。また、十字ボタン４６を利用して番号等を入力し、その入力番号が暗証番号と一致している場合にのみ、演出ボタン４２を操作できるようにする。この場合、暗証番号を早く入力する程、ゲームの得点が高得点になる。
【０１７９】
ボタンロック制御手段２５ｂは、ボタンロック装置４４Ａを制御して、特定期間（ボタン操作有効期間）中に演出ボタン４２を進出位置と退入位置の一方にロックさせた状態とロック解除させた状態の何れかの状態に択一的に保持するとともに、前記何れかの状態を特定遊技状態（大当り遊技状態、確変遊技状態、潜確遊技状態）を発生させる所定の抽選（大当り抽選、確変抽選、潜確抽選）の結果に基づいて決定し、その状態によって前記抽選で当選している信頼度が異なるように構成した。つまり、遊技者が特定期間中に演出ボタン４２を操作できる場合と操作できない場合とで、前記抽選で当選している信頼度を異ならせ、その信頼度をボタン操作の為に動作した遊技者にその動作時に報知して、演出ボタン４２を用いた遊技演出を斬新なものにして所望の演出効果を実現することができる。
【０１８０】
ボタンロック制御手段２５ｂは、ボタンロック装置４４Ａを制御して、特定期間中に演出ボタン４２をロック解除させた状態で設定時間Ｔ経過したときに進出位置と退入位置の一方にロックさせるとともに、設定時間Ｔを前記抽選の結果に基づいて決定し、その設定時間Ｔによって前記抽選で当選している信頼度が異なるように構成した。つまり、遊技者が特定期間中に演出ボタン４２を操作した場合に、操作できる期間によって、前記抽選で当選している信頼度を異ならせ、その信頼度をボタン操作の為に動作した遊技者にその動作時に報知して、演出ボタン４２を用いた遊技演出を斬新なものにして所望の演出効果を実現することができる。
【０１８１】
ボタンロック制御手段２５ｂは、ボタンロック装置４４Ａを制御して、特定期間中に演出ボタン４２をロック解除させた状態で演出ボタン４２が退入位置に設定回数Ｎ操作されたときに進出位置と退入位置の一方にロックさせるとともに、設定回数Ｎを前記抽選の結果に基づいて決定し、その設定回数Ｎによって前記抽選で当選している信頼度が異なるように構成した。つまり、遊技者が特定期間中に演出ボタン４２を操作した場合に、操作できる回数によって、前記抽選で当選している信頼度を異ならせ、その信頼度をボタン操作の為に動作した遊技者にその動作時に報知して、演出ボタン４２を用いた遊技演出を斬新なものにして所望の演出効果を実現することができる。
【０１８２】
ボタンロック制御手段２５ｂは、ボタンロック装置４４Ａを制御して、特定期間中に演出ボタン４２を退入位置にロックさせた状態に保持する、或いは、演出ボタン４２を退入位置にロックさせた状態からロック解除させるとともに、演出ボタン４２のロック解除有無を前記抽選の結果に基づいて決定し、その演出ボタン４２のロック解除有無によって前記抽選で当選している信頼度が異なるように構成した。つまり、特定期間中に演出ボタン４２が退入位置に滞在し続けた場合と退入位置からに進出位置に復帰した場合とで、前記抽選で当選している信頼度を異ならせ、ここで、遊技者が手を演出ボタン４２に添えることで、演出ボタン４２のロック解除有無を感知することができ、その信頼度を、演出ボタン４２を見ている遊技者や演出ボタン４２に手を添えた遊技者に報知して、演出ボタン４２を用いた遊技演出を斬新なものにして所望の演出効果を実現することができる。
【０１８３】
ボタンロック制御手段２５ｂは、特定期間中に演出ボタン４２を進出位置と退入位置の何れかの位置にロックさせる場合、前記何れかの位置を前記抽選の結果に基づいて決定し、その位置によって前記抽選で当選している信頼度が更に異なるように構成した。つまり、遊技者が特定期間中に操作できない演出ボタン４２の位置が進出位置の場合と退入位置の場合とで、前記抽選で当選している信頼度を異ならせ、演出効果を一層向上させることができる。
【０１８４】
特定期間が、演出ボタン４２の操作が有効となるボタン操作有効期間であるので、遊技者がボタン操作有効期間中に演出ボタン４２を操作した場合には、何らかの遊技演出を実行させることができる。ここで、演出制御手段２５ａは、ボタン操作有効期間にその旨を演出手段３９に報知させ、演出ボタン４２が進出位置から退入位置に操作された場合に遊技演出を切換えるため、遊技者は、ボタン操作有効期間をその旨の報知により認識して、ボタン操作有効期間中にボタン操作の為に動作することができ、そこで、演出ボタン４２を進出位置から退入位置に操作できた場合に、遊技演出の切換えに参加することができる。
【０１８５】
尚、本発明の趣旨を逸脱しない範囲において、前記開示事項以外の種々の変更を付加して実施可能である。また、前記実施例では、パチンコ遊技機の演出ボタンに本発明を適用した場合について説明したが、パチンコ遊技機の演出ボタン以外の種々の操作ボタン（例えば、ＥＮＴＥＲボタンや十字ボタン）や、パチンコ遊技機以外の種々の遊技機（例えば、スロットマシン）の種々の操作ボタンに本発明を適用してもよい。
【符号の説明】
【０１８６】
１  パチンコ遊技機
４１  ベース部材
４２  演出ボタン
４２ｈ，４２Ａｈ  係合部
４４，４４Ａ，４４Ｂ，４４Ｃ  ボタンロック装置
４９  復帰バネ
６０，６０Ａ  第１，第２ロック部材
６０ｃ，６０Ａｃ  テーパ部
６１，６１Ａ  第１，第２バネ部材
６２，６２Ａ  第１，第２ロック連動機構
６３，６３Ａ  第１，第２ロック解除駆動機構
６３ａ，６３Ａａ  第１，第２演出ボタンロックＳＯＬ
７０  カム部材
７５  回動駆動機構
８０  楔部材
８５  移動駆動機構
【図１】
2011010677.tif 000003
【図２】
2011010677.tif 000004
【図３】
2011010677.tif 000005
【図４】
2011010677.tif 000006
【図５】
2011010677.tif 000007
【図６】
2011010677.tif 000008
【図７】
2011010677.tif 000009
【図８】
2011010677.tif 000010
【図９】
2011010677.tif 000011
【図１０】
2011010677.tif 000012
【図１１】
2011010677.tif 000013
【図１２】
2011010677.tif 000014
【図１３】
2011010677.tif 000015
【図１４】
2011010677.tif 000016
【図１５】
2011010677.tif 000017
【図１６】
2011010677.tif 000018
【図１７】
2011010677.tif 000019
【図１８】
2011010677.tif 000020
【図１９】
2011010677.tif 000021
【図２０】
2011010677.tif 000022
【図２１】
2011010677.tif 000023
【図２２】
2011010677.tif 000024
【図２３】
2011010677.tif 000025
【図２４】
2011010677.tif 000026
【図２５】
2011010677.tif 000027
【図２６】
2011010677.tif 000028
【図２７】
2011010677.tif 000029
【図２８】
2011010677.tif 000030
【図２９】
2011010677.tif 000031
【図３０】
2011010677.tif 000032
【図３１】
2011010677.tif 000033
【図３２】
2011010677.tif 000034
【図３３】
2011010677.tif 000035
【図３４】
2011010677.tif 000036
【図３５】
2011010677.tif 000037
【図３６】
2011010677.tif 000038
【図３７】
2011010677.tif 000039
【図３８】
2011010677.tif 000040
【図３９】
2011010677.tif 000041
【図４０】
2011010677.tif 000042
【図４１】
2011010677.tif 000043
【図４２】
2011010677.tif 000044
【図４３】
2011010677.tif 000045
【図４４】
2011010677.tif 000046
【図４５】
2011010677.tif 000047
【図４６】
2011010677.tif 000048
【図４７】
2011010677.tif 000049
【図４８】
2011010677.tif 000050
【図４９】
2011010677.tif 000051
【図５０】
2011010677.tif 000052
【図５１】
2011010677.tif 000053
【図５２】
2011010677.tif 000054
【図５３】
2011010677.tif 000055
【図５４】
2011010677.tif 000056
【図５５】
2011010677.tif 000057
【図５６】
2011010677.tif 000058
【図５７】
2011010677.tif 000059
【図５８】
2011010677.tif 000060
【図５９】
2011010677.tif 000061